(57)【特許請求の範囲】
【請求項１】
撮像により得られ、輝度範囲が第１のダイナミックレンジで定義された第１静止画データと、印刷装置で印刷に用いる用紙の種類を示す紙情報とを取得する取得部と、
前記取得部により取得された前記第１静止画データを、複数の用紙の種類と、当該用紙に光を照射したときに当該用紙で反射される前記光の反射輝度との関係を参照することで、前記取得部により取得された前記紙情報が示す用紙の種類に対応する前記反射輝度を特定し、特定した前記反射輝度を最大輝度とする、前記第１のダイナミックレンジよりも輝度範囲が狭い第２のダイナミックレンジで定義された第２静止画データに変換する変換部と、
前記変換部により変換された前記第２静止画データを前記印刷装置に出力する出力部と、を備える、
画像処理装置。
【請求項２】
撮像により得られ、輝度範囲が第１のダイナミックレンジで定義された第１静止画データと、印刷装置で印刷に用いる用紙がスキャンされることにより得られたスキャン画像とを取得する取得部と、
前記取得部により取得された前記第１静止画データを、前記スキャン画像の輝度に基づいて、前記用紙に光を照射したときに当該用紙で反射される前記光の反射輝度を特定し、特定した前記反射輝度を最大輝度とする、前記第１のダイナミックレンジよりも輝度範囲が狭い第２のダイナミックレンジで定義された第２静止画データへ変換する変換部と、
前記変換部により変換された前記第２静止画データを前記印刷装置に出力する出力部と、を備える、
画像処理装置。
【請求項３】
前記取得部は、前記第１静止画データを取得すると共に、さらに、前記第１のダイナミックレンジよりも輝度範囲が狭い第３のダイナミックレンジで定義された第３静止画データを取得し、
前記第１静止画データの最大輝度が前記用紙に対応する前記反射輝度 よりも小さい場合、前記変換部は、前記第１静止画データから前記第２静止画データへの変換を行わず、前記出力部は、前記取得部により取得された前記第３静止画データを前記印刷装置に出力する、
請求項１から２のいずれか１項に記載の画像処理装置。
【請求項４】
前記第１のダイナミックレンジは、ＨＤＲ（Ｈｉｇｈ  Ｄｙｎａｍｉｃ  Ｒａｎｇｅ）である、
請求項１から３のいずれか１項に記載の画像処理装置。
【請求項５】
前記画像処理装置は、さらに、前記印刷装置を備える、
請求項１から４のいずれか１項に記載の画像処理装置。
【請求項６】
撮像により得られ、輝度範囲が第１のダイナミックレンジで定義された第１静止画データを取得し、
印刷装置で印刷に用いる用紙の種類を示す紙情報を取得し、
取得した前記第１静止画データを、複数の用紙の種類と、当該用紙に光を照射したときに当該用紙で反射される前記光の反射輝度との関係を参照することで、前記紙情報が示す用紙の種類に対応する前記反射輝度を特定し、特定した前記反射輝度を最大輝度とする、前記第１のダイナミックレンジよりも輝度範囲が狭い第２のダイナミックレンジで定義された第２静止画データに変換し、
変換した前記第２静止画データを前記印刷装置に出力する、
画像処理方法。
【請求項７】
請求項６に記載の画像処理方法をコンピュータに実行させるためのプログラム。
【発明の詳細な説明】
【技術分野】
【０００１】
本開示は、画像処理装置および画像処理方法に関する。
【背景技術】
【０００２】
特許文献１は、露出の異なる複数の画像を合成することにより、ダイナミックレンジの広いＨＤＲ（Ｈｉｇｈ  Ｄｙｎａｍｉｃ  Ｒａｎｇｅ）静止画を記録する撮像装置を開示している。
【先行技術文献】
【特許文献】
【０００３】
【特許文献１】特開２０１５−０５６８０７号公報
【発明の概要】
【０００４】
特許文献１に開示された技術では、高品位な印刷物を印刷するための静止画データを得ることが難しい。
【０００５】
本開示は、高品位な印刷物を印刷するための静止画データを得ることができる画像処理装置および画像処理方法を提供する。
【０００６】
本開示における画像処理装置は、撮像により得られ輝度範囲が第１のダイナミックレンジで定義された第１静止画データと印刷装置の印刷能力を示す能力情報とを取得する取得部と、前記取得部により取得された前記第１静止画データを、前記取得部により取得された前記能力情報が示す前記印刷能力に応じて、前記第１のダイナミックレンジよりも輝度範囲が狭い第２のダイナミックレンジで定義された第２静止画データに変換する変換部と、前記変換部により変換された前記第２静止画データを前記印刷装置に出力する出力部と、を備える。
【０００７】
本開示における画像処理方法は、撮像により得られ輝度範囲が第１のダイナミックレンジで定義された第１静止画データを取得し、印刷装置の印刷能力を示す能力情報を取得し、取得した前記第１静止画データを、取得した前記能力情報が示す前記印刷能力に応じて、前記第１のダイナミックレンジよりも輝度範囲が狭い第２のダイナミックレンジで定義された第２静止画データに変換し、変換した前記第２静止画データを前記印刷装置に出力する。
【０００８】
なお、これらの全般的または具体的な態様は、システム、方法、集積回路、コンピュータプログラムまたはコンピュータ読み取り可能なＣＤ−ＲＯＭ等の記録媒体で実現されてもよく、システム、方法、集積回路、コンピュータプログラムおよび記録媒体の任意な組み合わせで実現されてもよい。
【０００９】
本開示における画像処理装置および画像処理方法は、高品位な印刷物を印刷するための静止画データを得ることができる。
【図面の簡単な説明】
【００１０】
【図１】図１は、映像技術の進化について説明するための模式図である。
【図２】図２は、ＨＤＲ表示技術について説明するための模式図である。
【図３Ａ】図３Ａは、ＰＱ（Ｐｅｒｃｅｐｔｕａｌ  Ｑｕａｎｔｉｚａｔｉｏｎ）方式を説明するための模式図である。
【図３Ｂ】図３Ｂは、ＨＬＧ（Ｈｙｂｒｉｄ  Ｌｏｇ  Ｇａｍｍａ）方式を説明するための模式図である。
【図４】図４は、ＨＤＲに対応しているＨＤＲ画像の一例と、ＳＤＲ（Ｓｔａｎｄａｒｄ  Ｄｙｎａｍｉｃ  Ｒａｎｇｅ）に対応しているＳＤＲ画像の一例とを比較して示した図である。
【図５】図５は、画像撮像時の輝度の尺度の一例を示す図である。
【図６】図６は、撮像された画像の輝度の一例を示す図である。
【図７Ａ】図７Ａは、図６で示した原画像をＳＤＲ画像にマスタリングした結果の輝度の一例を示す図である。
【図７Ｂ】図７Ｂは、原信号値をＳＤＲ信号値に変換する（マスタリングする）ための、原信号値とＳＤＲ信号値との関係の一例を模式的に示す図である。
【図８Ａ】図８Ａは、図６で示した原画像をＨＤＲ画像にマスタリングした結果の輝度の一例を示す図である。
【図８Ｂ】図８Ｂは、原信号値をＨＤＲ信号値に変換する（マスタリングする）ための、原信号値とＨＤＲ信号値との関係の一例を模式的に示す図である。
【図９】図９は、ＨＤＲまたはＳＤＲに対応した撮像装置と、撮像装置によって得られる画像データのファイルフォーマットと、画像データを表示する表示装置または画像データを印刷する印刷装置と、について説明するための模式図である。
【図１０】図１０は、２つの画像を合成することによりダイナミックレンジを拡大した画像を得るＨＤＲ撮影モードについて説明するための模式図である。
【図１１】図１１は、２つの画像を合成することによりダイナミックレンジを拡大した画像を得るＨＤＲ撮影モードについて説明するための模式図である。
【図１２】図１２は、ＨＤＲ表示用に撮像されたＨＤＲ画像について説明するための模式図である。
【図１３】図１３は、ＳＤＲ印刷装置に画像を印刷させる場合の課題について説明するための模式図である。
【図１４】図１４は、実施の形態１における画像処理装置のハードウェア構成の一例を模式的に示すブロック図である。
【図１５】図１５は、実施の形態１における画像処理装置の機能構成の第１の例を模式的に示すブロック図である。
【図１６】図１６は、実施の形態１におけるテストパターンを用紙に印刷した結果の一例を示す図である。
【図１７】図１７は、実施の形態１に示す変換部における、第１のダイナミックレンジから第２のダイナミックレンジへ変換するための、第１のダイナミックレンジの信号値と第２のダイナミックレンジの信号値との関係の一例を模式的に示す図である。
【図１８】図１８は、実施の形態１における画像処理装置の動作の一例を示すフローチャートである。
【図１９】図１９は、実施の形態１の変形例１における画像処理装置の機能構成の一例を模式的に示すブロック図である。
【図２０】図２０は、実施の形態１の変形例２における画像処理装置の機能構成の一例を模式的に示すブロック図である。
【図２１】図２１は、実施の形態１の変形例３における画像処理装置の機能構成の一例を模式的に示すブロック図である。
【図２２】図２２は、実施の形態１（または変形例１〜５）における画像処理装置の実施例を説明するための模式図である。
【図２３】図２３は、実施の形態における表示装置と印刷装置との間の通信プロトコルの第１の例を模式的に示す図である。
【図２４】図２４は、実施の形態における表示装置と印刷装置との間の通信プロトコルの第２の例を模式的に示す図である。
【図２５】図２５は、実施の形態における表示装置と印刷装置との間の通信プロトコルの第３の例を模式的に示す図である。
【図２６】図２６は、実施の形態における表示装置と印刷装置との間の通信プロトコルの第４の例を模式的に示す図である。
【発明を実施するための形態】
【００１１】
（本開示の目的）
本開示は、ＨＤＲ（Ｈｉｇｈ  Ｄｙｎａｍｉｃ  Ｒａｎｇｅ）表示技術と、ＨＤＲ撮像技術との２つの技術を使い、ＨＤＲ静止画という新たなユーザ価値と新たな写真文化を提供するためのものである。上記の新たなユーザ価値とは、臨場感を向上させ、かつ、白飛び（明るい領域の階調が損なわれた状態、白潰れともいう）および黒潰れ（暗い領域の階調が損なわれた状態）等が低減された静止画データを生成することである。また、上記の新たな写真文化とは、ＨＤＲ静止画の撮像に対応しているカメラで撮像することにより得られたＨＤＲ静止画を、ＨＤＲ表示に対応する表示装置（以下、「ＨＤＲ表示装置」という）に表示して鑑賞することである。ＨＤＲ表示装置としては、例えば、ＨＤＲＴＶ（ＨＤＲテレビジョンセット）、ＨＤＲ対応タブレット端末、ＨＤＲ対応スマートフォン、ＨＤＲ対応ＰＣ（Ｐｅｒｓｏｎａｌ  Ｃｏｍｐｕｔｅｒ）、ＨＤＲ対応ディスプレイ、等である。なお、ＨＤＲ静止画は、ＨＤＲ写真ともいう。
【００１２】
本開示は、ＳＤＲ表示には対応しているがＨＤＲ表示には対応していない表示装置（以下、「ＳＤＲ表示装置」という）およびＳＤＲ静止画の印刷には対応しているがＨＤＲ静止画の印刷には対応していない印刷装置（以下、「ＳＤＲ印刷装置」という）においても表示または印刷が可能な静止画データを生成することができる画像処理装置および画像処理方法を提供する。つまり、本開示は、ＨＤＲ静止画の画像処理に対応した装置に対してだけでなく、ＳＤＲ静止画の画像処理には対応しているがＨＤＲ静止画の画像処理には対応していない装置に対しても、ＨＤＲ静止画の再生を行うことが可能な静止画データを提供することで、ＨＤＲ静止画データの利便性を向上させることができる画像処理装置および画像処理方法を提供する。なお、本開示において、ＨＤＲ静止画の再生は、ＨＤＲ静止画の表示、および、ＨＤＲ静止画を画像処理することによる印刷、を含む。つまり、本開示において、再生は、表示および印刷を含む。
【００１３】
（ＨＤＲ表示技術の背景）
図１は、映像技術の進化について説明するための模式図である。
【００１４】
これまで、映像の高画質化としては、表示画素数の拡大に主眼がおかれていた。そして、従来の７２０×４８０画素のＳｔａｎｄａｒｄ  Ｄｅｆｉｎｉｔｉｏｎ  （ＳＤ）映像に代えて、１９２０×１０８０画素のＨｉｇｈ  Ｄｅｆｉｎｉｔｉｏｎ（ＨＤ）映像が普及している。
【００１５】
近年、更なる高画質化のために、３８４０×２１６０画素のＵｌｔｒａ  Ｈｉｇｈ  Ｄｅｆｉｎｉｔｉｏｎ（ＵＨＤ）映像、あるいは、さらに画素数が多い４０９６×２１６０画素の映像（いわゆる、４Ｋ映像）が提案されている。また、４Ｋ映像とともに、輝度範囲（以下、「ダイナミックレンジ」ともいう）の拡張、色域の拡大、フレームレートの増加、等も検討されている。
【００１６】
ダイナミックレンジに関しては、暗部階調を維持しつつ、現行のテレビジョン信号での表現が困難な鏡面反射光等の明るい光を、より現実に近い明るさで表現するための方式として、ＨＤＲ（Ｈｉｇｈ  Ｄｙｎａｍｉｃ  Ｒａｎｇｅ）が提案されている。これまでのテレビジョン信号は、ＳＤＲ（Ｓｔａｎｄａｒｄ  Ｄｙｎａｍｉｃ  Ｒａｎｇｅ）と呼ばれ、最大輝度が１００ｎｉｔであった。一方、ＨＤＲでは、１０００ｎｉｔ以上まで最大輝度を拡大することが想定されている。そして、ＳＭＰＴＥ（Ｓｏｃｉｅｔｙ  ｏｆ  Ｍｏｔｉｏｎ  Ｐｉｃｔｕｒｅ  ａｎｄ  Ｔｅｌｅｖｉｓｉｏｎ  Ｅｎｇｉｎｅｅｒｓ）、ＩＴＵ−Ｒ（Ｉｎｔｅｒｎａｔｉｏｎａｌ  Ｔｅｌｅｃｏｍｍｕｎｉｃａｔｉｏｎ  Ｕｎｉｏｎ−Ｒａｄｉｏｃｏｍｍｕｎｉｃａｔｉｏｎ  Ｓｅｃｔｏｒ）等において、マスタリングディスプレー用の規格の標準化も進行中である。ＨＤＲの具体的な適用先としては、ＨＤやＵＨＤと同様に、放送やパッケージメディア（Ｂｌｕ−ｒａｙ（登録商標）  Ｄｉｓｃ等）、インターネット配信、等がある。
【００１７】
（ＨＤＲ表示技術）
図２は、ＨＤＲ表示技術について説明するための模式図である。
【００１８】
ＨＤＲは、単なる非常に明るいテレビジョンセットを実現するための方式ではない。ＨＤＲとは、映像の輝度範囲（ダイナミックレンジ）を、ＳＤＲの一例であるＢＴ．７０９（Ｂｒｏａｄｃａｓｔｉｎｇ  Ｓｅｒｖｉｃｅ  （Ｔｅｌｅｖｉｓｉｏｎ）  ７０９）の規格で定められた０．１ｎｉｔ−１００ｎｉｔから、例えばＳＭＰＴＥ（Ｓｏｃｉｅｔｙ  ｏｆ  Ｍｏｔｉｏｎ  Ｐｉｃｔｕｒｅ  ａｎｄ  Ｔｅｌｅｖｉｓｉｏｎ  Ｅｎｇｉｎｅｅｒｓ：米国映画テレビ技術者協会）におけるＳＴ２０８４で定められた０−１０，０００ｎｉｔに拡張して、従来は表現できなかった、明るい太陽、空、および光線の反射等の輝度の高い画像の表現を可能にしたり、明るい部分と暗い部分とを同時に記録することを可能にしたりする方式である。なお、ここでいう輝度とは、光学的な輝度のことであり、光源の明るさを表す物理量のことである。ＨＤＲには、撮像後にグレーディング処理（映像の色やトーンを調整する処理）を行う映像（パッケージされる映像）およびＩＰ（Ｉｎｔｅｒｎｅｔ  Ｐｒｏｔｏｃｏｌ）配信される映像等に適したＳＴ２０８４（ＰＱ方式）と、ライブ放送の映像およびユーザに撮像された映像に適したＨｙｂｒｉｄ  Ｌｏｇ  Ｇａｍｍａ（ＨＬＧ方式）との２つの方式がある。
【００１９】
このように、ＨＤＲの表示技術には、ＳＤＲとＨＤＲとの互換性を実現できるＨＬＧ方式と、ＳＤＲとＨＤＲとの単純な表示互換性がないＰＱ方式とがある。なお、ＰＱ方式は、ＨＤＲ１０方式ともいう。
【００２０】
図３Ａは、ＰＱ方式を説明するための模式図である。図３Ｂは、ＨＬＧ方式を説明するための模式図である。
【００２１】
図３Ａに示すように、ＰＱ方式は、ＳＤＲとＨＤＲとの互換性がない方式である。この方式の場合、ＳＤＲとＨＤＲとは、個別にグレーディングされて個別に伝送される。また、この方式の場合、Ｕｌｔｒａ  ＨＤ  Ｂｌｕ−ｒａｙ（登録商標）で再生された映像を、ＳＤＲＴＶ（ＳＤＲには対応しているが、ＨＤＲには対応していないテレビジョンセット）に表示させる場合は、ＨＤＲの映像データをＳＤＲの映像データに変換するＳＤＲ変換が必要となる。
【００２２】
図３Ｂに示すように、ＩＴＵ−Ｒ（Ｔｈｅ  ＩＴＵ  Ｒａｄｉｏｃｏｍｍｕｎｉｃａｔｉｏｎ  Ｓｅｃｔｏｒ：国際電気通信連合  無線通信部門）の２１００  Ｈｙｂｒｉｄ  Ｌｏｇ  Ｇａｍｍａ（ＨＬＧ）は、ＳＤＲとＨＤＲとの互換性を有する方式である。この方式の場合、ＨＬＧ用のグレーディングが行われ、ＨＬＧ用ストリームのみが伝送される。ＨＬＧ用ストリームは、ＳＤＲに対する互換性がある。このため、ＨＤＲの映像データを、ＳＤＲＴＶに表示させる場合に、ＨＤＲの映像データをＳＤＲの映像データに変換するＳＤＲ変換は不要である。
【００２３】
図４は、ＨＤＲに対応しているＨＤＲ画像の一例と、ＳＤＲに対応しているＳＤＲ画像の一例とを比較して示した図である。図４には、室内の比較的暗い景色と窓の外の比較的明るい景色とが混在する、明暗差が相対的に大きい１枚の画像を、ＨＤＲ画像とＳＤＲ画像とで示す。
【００２４】
ＨＤＲ画像は、ＨＤＲ静止画データまたはＨＤＲ動画データを再生することで得られる画像である。ＳＤＲ画像は、ＳＤＲ静止画データまたはＳＤＲ動画データを再生することで得られる画像である。図４の上段に例示するように、ＨＤＲ画像では、窓の外の比較的明るい景色と、室内の比較的暗い景色とが、ともに適切な明るさで表現されている。一方、ＳＤＲ画像では、図４の下段に例示するように、窓の外の比較的明るい景色が表現されるように露出が調整されている場合、室内の比較的暗い景色は、暗くなりすぎて一部に黒潰れが生じ、見えにくくなっている。仮に、室内の景色が適切に表現されるように露出が調整された場合は、窓の外の景色は、明るくなりすぎて一部に白飛びが生じ、見えにくくなってしまう（図示せず）。このように、ＨＤＲ画像は、ＳＤＲ画像において実現が困難であった、比較的明るい景色と比較的暗い景色とが混在する、明暗差が相対的に大きい１枚の画像において白飛びと黒潰れとの両方を低減した階調性の高い画像を実現することができる。
【００２５】
図５は、画像撮像時の輝度の尺度の一例を示す図である。
【００２６】
被写体をカメラで撮像する場合、一般的には、図５に示すように、反射率が１８％になる１８％グレーを明るさの基準点とする。１８％グレーは、明るさの基準になる基準反射率である。図５に示すＳｔｏｐ数は、輝度を相対的に表しており、１８％グレーにおける輝度を基準点とし、基準点のＳｔｏｐ数を０とする。Ｓｔｏｐ数は、輝度が２倍になる毎に１ずつ増加し、輝度が１／２倍になる毎に１ずつ減少するように定義されている。
【００２７】
被写体をカメラで撮像するときに、カメラのイメージセンサ（例えば、ＣＭＯＳ（ｃｏｍｐｌｅｍｅｎｔａｒｙ  Ｍｅｔａｌ−Ｏｘｉｄｅ  Ｓｅｍｉｃｏｎｄｕｃｔｏｒ）、またはＣＣＤ（Ｃｈａｒｇｅ  Ｃｏｕｐｌｅｄ  Ｄｅｖｉｃｅ）、等）から得られる輝度は、絞り、シャッタースピード、感度設定、等による露出に応じて変化する。つまり、イメージセンサから得られる輝度は、同じ明るさの被写体を撮像したとしても、露出に応じて異なる値となる。このために、Ｓｔｏｐ数の値自体は絶対的な値ではなく、相対的な値である。つまり、Ｓｔｏｐ数では、輝度を表すことはできない。
【００２８】
また、カメラで被写体を撮像するときには、通常は、被写体の明るさに応じて、露出が調整される。例えば、図５の（１）に暗い被写体の一例として示す夜のシーンをカメラで撮像する場合は、一般的には、画像の大部分を占める暗い領域の黒潰れを起こさないようにするために、シャッタースピードを遅くする、絞りを開ける、等の設定により、暗い領域の階調が表され、画像における面積が比較的少ない明るい領域は白飛びさせるような露出の調整を、カメラに対して行う。
【００２９】
図５の（２）に中程度の明るさの被写体の一例として示す昼の室内のシーンをカメラで撮像する場合は、一般的には、暗い部分と明るい部分とのバランスが良くなるような露出の調整を、カメラに対して行う。
【００３０】
図５の（３）に明るい被写体の一例として示す昼の屋外のシーンをカメラで撮像する場合は、一般的には、シャッタースピードを速くする、絞りを絞る、等の設定により、画像の大部分を占める明るい領域の白飛びを防ぐような露出の調整を、カメラに対して行う。
【００３１】
このようにして得られた相対的な輝度を、絶対的な輝度に変換するためには、露出の基準点からの相対関係を計算する必要がある。
【００３２】
図６は、撮像された画像の輝度の一例を示す図である。
【００３３】
図６に示す撮像された画像を、以下、原画像７０とする。原画像７０では、明るさの基準になる０  Ｓｔｏｐに対応する輝度１８ｎｉｔを有する画素の領域を領域Ａとして示す。また、原画像７０では、２．３  Ｓｔｏｐｓに対応する輝度９０ｎｉｔを有する画素の領域を領域Ｂとして示す。また、原画像７０では、ほぼ黒の−３  Ｓｔｏｐｓに対応する輝度２．３ｎｉｔを有する画素の領域を領域Ｃとして示す。また、原画像７０では、６  Ｓｔｏｐｓに対応する輝度１１５０ｎｉｔを有する画素の領域を領域Ｄとして示す。領域Ｄには、太陽を撮像することで得られた画素が含まれており、非常に明るい輝度（例えば、原画像７０において最も明るい輝度）が得られている。また、原画像７０では、４  Ｓｔｏｐｓに対応する輝度２９０ｎｉｔを有する画素の領域を領域Ｅとして示す。領域Ｅで示される領域には、鏡面反射を起こしている場所を撮像することで得られた画素が含まれている。
【００３４】
次に、原画像７０をＳＤＲ画像へ変換するＳＤＲグレーディング処理（マスタリング処理）について説明する。
【００３５】
ＳＤＲグレーディング処理は、カメラで撮像された、１００ｎｉｔ以上の高輝度成分を有するコンテンツの映像（原画像）を、ＢＴ．７０９等の放送規格に適合するように変換する処理であり、原画像に対してニーカーブ処理を施すことで実現される。ニーカーブ処理は、ニーカーブによって入力信号を変換する処理であり、ニーカーブは、一定値（ニーポイント）以上の入力信号に対してゲインを圧縮して出力する入出力変換カーブである。ＳＤＲグレーディング処理では、原画像における一定値（ニーポイント）以下の輝度に対してはゲインを１とし（すなわち、入力される輝度をそのまま出力し）、一定値（ニーポイント）以上の輝度に対しては、所定の輝度に収まるようにゲインを圧縮する。所定の輝度は、例えば、処理後の画像を表示する表示装置で表示可能な最大輝度であってもよく、処理後の画像をＢＴ．７０９に適合させる場合は１００ｎｉｔであってもよい。したがって、例えば、原画像７０に対してＳＤＲグレーディング処理を施す場合、通常のグレーディング処理で、ニーポイント（例えば、８０ｎｉｔ前後）までは現画像７０の輝度をそのままリニアに保持し、ニーポイント以上の輝度は、現画像７０の最高輝度が１００ｎｉｔに収まるように、各輝度を低減する。
【００３６】
図７Ａは、図６で示した原画像７０をＳＤＲ画像７１にマスタリングした結果の輝度の一例を示す図である。図７Ｂは、原信号値をＳＤＲ信号値に変換する（以下、「マスタリングする」ともいう）ための、原信号値とＳＤＲ信号値との関係の一例を模式的に示す図である。なお、原信号値とは、原画像（例えば、原画像７０）の０ｎｉｔ〜最大輝度（例えば、１１５０ｎｉｔ）の輝度範囲における輝度（以下、「原画像の輝度」という）であり、ＳＤＲ信号値とは、ＳＤＲの輝度範囲における輝度（以下、「ＳＤＲの輝度」という）である。なお、図７Ｂでは、原信号値の最大値を１００００としているが、原信号値の最大値は原画像によって変化する。例えば、図６に示した原画像７０に関しては、原信号値の最大値は１１５０である。
【００３７】
原画像７０において、０  Ｓｔｏｐに対応する画素は、明るさの基準になる基準輝度を有する画素である。このため、原画像７０からＳＤＲ画像７１へのマスタリングにより、原画像７０をＳＤＲ画像７１に変換した後も、原画像７０における０  Ｓｔｏｐに対応する原画像７０の輝度（１８ｎｉｔ）を、変更せずに、ＳＤＲの輝度（１８ｎｉｔ）とする（図７ＡのＳＤＲ画像７１において領域Ａで示す領域を参照）。
【００３８】
ここでは、図７Ｂに示すニーカーブによって、原画像７０からＳＤＲ画像７１へのマスタリングを行う例を説明する。ただし、図７Ｂに示す原信号値の最大値は１００００ではなく１１５０となる。また、ニーポイントは９０とする。このマスタリングでは、原画像７０の９０ｎｉｔに対応する原画像７０の輝度以下の輝度範囲（０〜９０ｎｉｔ）においては、原画像７０の輝度を、変更せずに、ＳＤＲの輝度とする。すなわち、原画像７０において０〜９０ｎｉｔの画素は、マスタリング後のＳＤＲ画像７１でも、０〜９０ｎｉｔの画素となる。また、原画像７０の９０ｎｉｔに対応する原画像７０の輝度より大きい原画像７０の輝度範囲（９０〜１１５０ｎｉｔ）においては、原画像７０の輝度を、９０〜１００ｎｉｔの輝度範囲のＳＤＲの輝度に、線形変換する。すなわち、原画像７０において９０〜１１５０ｎｉｔの画素は、マスタリング後のＳＤＲ画像７１では、９０〜１００ｎｉｔの画素となる。
【００３９】
例えば、原画像７０において９０ｎｉｔに対応する画素は、原画像７０からＳＤＲ画像７１へのマスタリングにより、原画像７０をＳＤＲ画像７１に変換した後も、原画像７０における９０ｎｉｔに対応する原画像７０の輝度を、変更せずに、ＳＤＲの輝度とする（図７ＡのＳＤＲ画像７１において領域Ｂで示す領域を参照）。
【００４０】
また、例えば、原画像７０において２．３ｎｉｔに対応する画素は、原画像７０からＳＤＲ画像７１へのマスタリングにより、原画像７０をＳＤＲ画像７１に変換した後も、上述と同様に、原画像７０における２．３ｎｉｔに対応する原画像７０の輝度を、変更せずに、ＳＤＲの輝度とする（図７ＡのＳＤＲ画像７１において領域Ｃで示す領域を参照）。
【００４１】
一方、例えば、原画像７０において１１５０ｎｉｔに対応する画素は、原画像７０からＳＤＲ画像７１へのマスタリングにおいて、原画像７０における１１５０ｎｉｔに対応する原画像７０の輝度を、ＳＤＲの最大輝度である１００ｎｉｔに変換する（図７ＡのＳＤＲ画像７１においてＤで示す領域を参照）。
【００４２】
また、例えば、原画像７０において２９０ｎｉｔに対応する画素は、原画像７０からＳＤＲ画像７１へのマスタリングにおいて、原画像７０における２９０ｎｉｔに対応する原画像７０の輝度を、９５ｎｉｔに変換する（図７ＡのＳＤＲ画像７１において領域Ｅで示す領域を参照）。
【００４３】
図８Ａは、図６で示した原画像７０をＨＤＲ画像７２にマスタリングした結果の輝度の一例を示す図である。図８Ｂは、原信号値をＨＤＲ信号値に変換する（マスタリングする）ための、原信号値とＨＤＲ信号値との関係の一例を模式的に示す図である。なお、ＨＤＲ信号値とは、ＨＤＲの輝度範囲における輝度（以下、「ＨＤＲの輝度」という）である。なお、この実施例では、原画像７０からＨＤＲ画像７２へのマスタリングにおいて、２０００ｎｉｔまでの輝度をＨＤＲの輝度とすることが許されているものとする。一方、上述したように、原画像７０の最大輝度は１１５０ｎｉｔである。そのため、ＨＤＲ画像７２においては、原画像７０の輝度をそのまま保持できる。
【００４４】
原画像７０において、０  Ｓｔｏｐに対応する画素は、明るさの基準になる基準輝度を有する画素である。そのため、その画素に関しては、原画像７０からＨＤＲ画像７２へのマスタリングにより、原画像７０をＨＤＲ画像７２に変換した後も、原画像７０における輝度を変更せずに、ＨＤＲの輝度とする（図８ＡのＨＤＲ画像７２において領域Ａで示す領域）。
【００４５】
同様に、例えば、原画像７０において９０ｎｉｔに対応する画素と、原画像７０において２．３ｎｉｔに対応する画素と、原画像７０において１１５０ｎｉｔに対応する画素と、原画像７０において２９０ｎｉｔに対応する画素と、のそれぞれに関しても、原画像７０からＨＤＲ画像７２へのマスタリングにより原画像７０をＨＤＲ画像７２に変換した後も、原画像７０の輝度を、変更せずに、ＨＤＲの輝度とする（図８ＡのＨＤＲ画像７２において領域Ｂ、領域Ｃ、領域Ｄ、領域Ｅで示す領域を参照）。
【００４６】
図９は、ＨＤＲまたはＳＤＲに対応した撮像装置と、撮像装置によって得られる画像データのファイルフォーマットと、画像データを表示する表示装置または画像データを印刷する印刷装置と、について説明するための模式図である。
【００４７】
図９に示すＨＤＲ撮像装置１０は、ＨＤＲでの撮像に対応している。ＨＤＲ撮像装置１０は、ＨＤＲ撮像部１１と、ＳＤＲ撮像部１４と、変換部１２と、ＪＰＥＧ圧縮部１３と、を備える。ＨＤＲ撮像装置１０は、ＨＤＲ撮像部１１においてＨＤＲ撮影モードで撮像されて得られた画像データが、ＳＤＲ表示装置４０で表示されること、またはＳＤＲ印刷装置５０で印刷されることに対応できるように構成されている。具体的には、ＨＤＲ撮像装置１０では、ＨＤＲ撮像部１１においてＨＤＲ撮影モードで撮像されて得られたＨＤＲ画像のＨＤＲ静止画データが、変換部１２においてＳＤＲ静止画データに変換される。そして、ＨＤＲ撮像装置１０では、変換部１２での変換により得られたＳＤＲ静止画データが、ＪＰＥＧ圧縮部１３においてＪＰＥＧ圧縮され、その圧縮により得られたＪＰＥＧフォーマットのＳＤＲ静止画データが出力される。また、ＨＤＲ撮像装置１０では、ＳＤＲ撮像部１４において従来の撮映モード（ＳＤＲ撮映モード）で撮像されて得られたＳＤＲ画像のＳＤＲ静止画データについても、ＪＰＥＧ圧縮部１３でＪＰＥＧ圧縮され、圧縮により得られたＪＰＥＧフォーマットのＳＤＲ静止画データが出力される。
【００４８】
ＳＤＲ撮像装置２０は、ＳＤＲ撮像部２１と、ＪＰＥＧ圧縮部２２と、を備える。ＳＤＲ撮像装置２０では、ＨＤＲ撮像装置１０において従来の撮映モード（ＳＤＲ撮映モード）で撮像が行われる場合と同様に、ＳＤＲ撮像部２１での撮像で得られたＳＤＲ画像のＳＤＲ静止画データが、ＪＰＥＧ圧縮部２２でＪＰＥＧ圧縮され、その圧縮により得られたＪＰＥＧフォーマットのＳＤＲ静止画データが出力される。
【００４９】
したがって、ＨＤＲ表示装置３０、ＳＤＲ表示装置４０、およびＳＤＲ印刷装置５０では、ＨＤＲ撮像によるＨＤＲ静止画データがＳＤＲ変換されて得られたＳＤＲ静止画データ、または、ＳＤＲ撮像によるＳＤＲ静止画データを取得して、当該ＳＤＲ静止画データによるＳＤＲ画像を再生（表示または印刷）する。
【００５０】
次に、ＨＤＲ撮影モードについて図１０および図１１を用いて説明する。
【００５１】
図１０および図１１は、２つの画像を合成することにより輝度範囲（ダイナミックレンジ）を拡大した画像を得るＨＤＲ撮影モードについて説明するための模式図である。
【００５２】
スマートフォンおよびデジタルカメラ等には、輝度範囲（ダイナミックレンジ）が広い映像を撮像できるＨＤＲ撮影モードを有するものがある。ＨＤＲ撮影モードでは、図１０および図１１の（ａ）に示すように、輝度範囲（ダイナミックレンジ）が広いＨＤＲ画像データを得るために、２重露光（同一被写体を互いに異なる露光状態で複数回撮像する手法）等で得られた２つのＳＤＲ画像が、ＳＤＲで定められた輝度範囲に収まるように合成される。これにより、図１０および図１１の（ｂ）に示すように、ＨＤＲ画像をＳＤＲ表示装置で表示することが可能になる。
【００５３】
次に、図１２を用いて、ＨＤＲ表示用に撮像されたＨＤＲ画像について説明する。
【００５４】
図１２は、ＨＤＲ表示用に撮像されたＨＤＲ画像について説明するための模式図である。
【００５５】
図１２に示すように、ＨＤＲ表示用のＨＤＲ画像は、撮像の対象となるシーンの明るさが、ＳＤＲ撮影モードよりも広い輝度範囲（ダイナミックレンジ）で、撮像される。この撮像により得られた画像データにグレーディング処理が施されてＨＤＲ表示用のＨＤＲ画像が生成され、そのＨＤＲ画像が各装置に伝送されて再生される。ＨＤＲ画像は、ＳＤＲ画像よりも輝度範囲（ダイナミックレンジ）が広いため、そのままではＳＤＲ表示装置で表示することはできない。ＨＤＲ画像をＳＤＲ表示装置で表示するためには、ＨＤＲ画像からＳＤＲ画像への変換が必要となる。
【００５６】
一方、図１０および図１１を用いて説明したＨＤＲ撮影モードでは、合成後の画像は、ＳＤＲで定められた輝度範囲に収まるように生成されているため、ＨＤＲ表示装置３０とＳＤＲ表示装置４０（またはＳＤＲ印刷装置５０）との双方で再生することが可能である。
【００５７】
図９に戻って説明を続ける。近年、ＨＤＲ画像を表示するためのＨＤＲ画像データを、ＳＤＲ変換をせずに表示することができる、ＨＤＲＴＶ等のＨＤＲ表示装置が提案されている。
【００５８】
一方、ＨＤＲ撮影モード（ＨＤＲ撮像機能）を有するカメラでは、ＨＤＲＴＶとは異なり、主に、逆光補正等を目的としてＨＤＲ技術が使用されている。そして、そのカメラでＨＤＲ技術を使用して撮像された静止画像は、ＳＤＲ表示装置またはＳＤＲ印刷装置で再生されることがある。そのため、そのカメラは、映像用のＨＤＲ画像データを生成することが可能な撮像素子を備え、ＨＤＲ技術を用いた撮像が可能であるにも関わらず、ＨＤＲ撮影モードで撮像したＨＤＲ画像をＳＤＲ変換し、ＳＤＲ静止画データを出力する場合がある。このように、ＨＤＲ撮像機能を有するカメラでは、ＨＤＲＴＶの表示能力を活かすような輝度範囲（ダイナミックレンジ）が広いＨＤＲ画像データを生成することが可能であるにもかかわらず、ＨＤＲ画像データが生成されていない場合があった。
【００５９】
図１３は、ＳＤＲ印刷装置５０に画像を印刷させる場合の課題について説明するための模式図である。
【００６０】
ＨＤＲＴＶ（例えば、ＨＤＲ表示装置３０）のＨＤＲ表示機能を活かすためには、ＨＤＲ表示用のＨＤＲ画像データが生成されたときに、ＨＤＲ画像データをＳＤＲ画像データに変換せず、そのままのＨＤＲ画像データをＨＤＲＴＶで表示すればよい。
【００６１】
図１３に示すＨＤＲ撮像装置１０Ａは、ＨＤＲ撮像部１１と、ＳＤＲ撮像部１４と、変換部１２と、ＪＰＥＧ圧縮部１３と、ＨＤＲ画像補正部１５と、ＨＥＶＣ（Ｈｉｇｈ  Ｅｆｆｉｃｉｅｎｃｙ  Ｖｉｄｅｏ  ｃｏｄｉｎｇ）圧縮部１６と、を備える。ＨＤＲ撮像装置１０Ａは、ＨＤＲ画像データを生成するために、ＨＤＲ画像補正部１５においてＨＤＲ画像補正を行う。
【００６２】
ＨＤＲ画像補正部１５では、例えば、ＨＤＲ撮像部１１で撮像が行われることにより得られたＲＡＷデータを、ＰＱカーブ等のＨＤＲ−ＥＯＴＦ（ＨＤＲ−Ｅｌｅｃｔｒｏ−Ｏｐｔｉｃａｌ  Ｔｒａｎｓｆｅｒ  Ｆｕｎｃｔｉｏｎ）を用いて、ＨＤＲＴＶ（例えば、ＨＤＲ１０規格に対応したＨＤＲ表示装置３０）で表示可能な１０ビット画像に変換する。そして、ＨＤＲ撮像装置１０Ａは、ＨＤＲ画像補正部１５により得られたＨＤＲ画像データを、例えば、ＨＥＶＣ圧縮部１６からＨＤＭＩ（登録商標、Ｈｉｇｈ−Ｄｅｆｉｎｉｔｉｏｎ  Ｍｕｌｔｉｍｅｄｉａ  Ｉｎｔｅｒｆａｃｅ）経由でＨＤＲＴＶ（例えば、ＨＤＲ表示装置３０）に出力する。これにより、そのＨＤＲ画像データを受信したＨＤＲＴＶ（例えば、ＨＤＲ表示装置３０）では、そのＨＤＲ画像データに応じたＨＤＲ画像が表示される。
【００６３】
また、ＨＤＲ画像データに対して疑似ＨＤＲ変換を行い、疑似ＨＤＲ変換によって得られたＳＤＲ形式の疑似ＨＤＲ画像をＳＤＲ表示装置４０に出力することで、ＳＤＲ表示装置４０に、ＳＤＲ画像データを表示させるよりも高品位な画像を表示させることができる。なお、疑似ＨＤＲ変換とは、ＨＤＲ画像を、ＳＤＲ表示装置４０が表示できる最大輝度値に合わせた輝度範囲（ダイナミックレンジ）を有するＳＤＲ形式の画像（疑似ＨＤＲ画像）へ変換することである。
【００６４】
しかしながら、ＳＤＲ印刷装置５０においては、ＨＤＲ画像データを高品位に印刷することができない。そのため、ＳＤＲ印刷装置５０では、従来のＳＤＲ撮影モードで撮像が行われることで得られたＳＤＲ画像データを印刷する。つまり、ＳＤＲ印刷装置５０では、高品位なＨＤＲ画像データが得られたとしても、高品位なＨＤＲ画像データによる高品位な画像を印刷することができない。
【００６５】
以下、適宜図面を参照しながら、実施の形態を詳細に説明する。ただし、必要以上に詳細な説明は省略する場合がある。例えば、すでによく知られた事項の詳細説明、および実質的に同一の構成に対する重複説明等を省略する場合がある。これは、以下の説明が不必要に冗長になるのを避け、当業者の理解を容易にするためである。
【００６６】
なお、添付図面および以下の説明は、当業者が本開示を十分に理解するために提供されるのであって、これらにより特許請求の範囲に記載の主題を限定することは意図されていない。
【００６７】
また、各図は、必ずしも厳密に図示されたものではなく、本開示をわかりやすく示すために適宜省略等を行った模式図である。また、各図において、実質的に同じ構成要素については同じ符号を付し、説明を省略または簡略化する場合がある。
【００６８】
（１．実施の形態１）
本実施の形態では、ＳＤＲ印刷装置５０において高品位な画像を印刷できるようにするための静止画データを生成する画像処理装置を開示する。
【００６９】
（１−１．構成）
図１４は、実施の形態１における画像処理装置１００のハードウェア構成の一例を模式的に示すブロック図である。
【００７０】
図１４に示すように、画像処理装置１００は、ハードウェア構成として、ＣＰＵ（Ｃｅｎｔｒａｌ  Ｐｒｏｃｅｓｓｉｎｇ  Ｕｎｉｔ）１０１と、メインメモリ１０２と、ストレージ１０３と、入力ＩＦ（Ｉｎｔｅｒｆａｃｅ）１０４と、通信ＩＦ（Ｉｎｔｅｒｆａｃｅ）１０５と、を備える。
【００７１】
ＣＰＵ１０１は、ストレージ１０３等に記憶された制御プログラムを実行するプロセッサである。
【００７２】
メインメモリ１０２は、ＣＰＵ１０１が制御プログラムを実行するときに使用するワークエリアとして用いられる揮発性の記憶領域である。メインメモリ１０２は、例えば半導体メモリ等によって構成することができる。
【００７３】
ストレージ１０３は、制御プログラムおよびコンテンツ等を保持する不揮発性の記憶領域である。ストレージ１０３は、例えば、磁気ディスク、光ディスク、光磁気ディスク、または半導体メモリ、等によって構成することができる。
【００７４】
入力ＩＦ１０４は、キーボード、マウス、タッチパッド、ボタン、タッチパネル、等である。
【００７５】
通信ＩＦ１０５は、通信ネットワークを介して他の装置と通信する通信インタフェースである。他の装置とは、例えば、後述する印刷装置２００、入力装置３００等である。通信ＩＦ１０５は、例えば、ＩＥＥＥ８０２．１１ａ、ｂ、ｇ、ｎ規格に適合した無線ＬＡＮ（Ｌｏｃａｌ  Ａｒｅａ  Ｎｅｔｗｏｒｋ）インタフェースであるが、第３世代移動通信システム（３Ｇ）、第４世代移動通信システム（４Ｇ）、または、ＬＴＥ（登録商標、ＬＯＮＧ  Ｔｅｒｍ  Ｅｖｏｌｕｔｉｏｎ）等の移動通信システムで利用される通信規格に適合した無線通信インタフェースであってもよいし、Ｂｌｕｅｔｏｏｔｈ（登録商標）規格に適合した無線通信インタフェースであってもよい。また、通信ＩＦ１０５は、有線ＬＡＮインタフェース、ＵＳＢ（Ｕｎｉｖｅｒｓａｌ  Ｓｅｒｉａｌ  Ｂｕｓ）インタフェース等の有線通信インタフェースであってもよい。
【００７６】
図１５は、実施の形態１における画像処理装置の機能構成の第１の例を模式的に示すブロック図である。
【００７７】
画像処理装置１００は、取得部１１０と、変換部１２０と、出力部１３０と、を備える。画像処理装置１００は、撮像装置に組み込まれた装置として実現されてもよいし、単独の装置として実現されてもよい。また、画像処理装置１００には、印刷装置２００が、有線接続または無線接続されている。印刷装置２００は、図９に示したＳＤＲ印刷装置５０の一例である。
【００７８】
取得部１１０は、撮像により得られた第１静止画データＤ１と、印刷装置２００の印刷能力を示す能力情報Ｉ１と、を取得する。第１静止画データＤ１は、輝度範囲が第１のダイナミックレンジで定義された静止画データである。第１のダイナミックレンジは、例えば、ＨＤＲ（Ｈｉｇｈ  Ｄｙｎａｍｉｃ  Ｒａｎｇｅ）である。
【００７９】
取得部１１０は、能力情報Ｉ１として、例えば、印刷装置２００で印刷に用いる用紙（または、印刷装置２００に設定されている用紙）の種類を示す紙情報を取得してもよい。紙情報は、例えば、ユーザが印刷装置２００に画像を印刷させる際の指示（以下、「印刷指示」ともいう）に含まれていてもよい。
【００８０】
また、取得部１１０は、印刷装置２００で印刷に用いる用紙に特定のパターン（以下、「テストパターン」ともいう）を印刷することにより得られる印刷結果を能力情報Ｉ１として取得してもよい。取得部１１０は、ユーザが、印刷結果を画像処理装置１００（または、印刷装置２００）に入力することで、当該印刷結果を取得してもよい。この印刷結果については後述する。
【００８１】
取得部１１０は、第１静止画データＤ１を、例えば、画像処理装置１００に有線接続または無線接続された、撮像装置、情報端末、または記憶装置、等から取得してもよい。第１静止画データＤ１を取得する取得部１１０は、例えば、通信ＩＦ１０５（図１４参照）により実現されてもよい。
【００８２】
取得部１１０は、例えば、能力情報Ｉ１としての紙情報を含む印刷指示を、ユーザからの入力操作を受け付けることにより取得してもよい。能力情報Ｉ１を取得する取得部１１０は、例えば、入力ＩＦ１０４（図１４参照）により実現されてもよい。なお、取得部１１０は、印刷指示を取得せずに能力情報Ｉ１を取得してもよい。
【００８３】
変換部１２０は、取得部１１０により取得された第１静止画データＤ１を、取得部１１０により取得された能力情報Ｉ１が示す印刷能力に応じて、第２静止画データＤ２に変換する。第２静止画データＤ２は、第１のダイナミックレンジよりも輝度範囲が狭い第２のダイナミックレンジで定義された静止画データである。
【００８４】
変換部１２０は、能力情報Ｉ１が、用紙の種類を示す情報を含む紙情報である場合、予め定められた関係を示す情報を参照することで、取得部１１０により取得された紙情報が示す用紙の種類に対応する反射輝度を特定する。なお、当該予め定められた関係を示す情報は、複数の用紙の種類と、複数の用紙の種類のそれぞれに対応している反射輝度との関係を示した情報である。そして、変換部１２０は、紙情報により特定された反射輝度を最大輝度とする輝度範囲（ダイナミックレンジ）を第２のダイナミックレンジとして、第１静止画データＤ１を第２静止画データＤ２へ変換する。なお、反射輝度とは、用紙に規定の輝度の光を照射したときに当該用紙で反射される当該光の輝度のことである。規定の輝度は、例えば、一般的な室内の明るさを表す輝度で定義されてもよく、あるいは、その他の任意に定められた輝度であってもよい。そして、当該予め定められた関係（複数の用紙の種類と反射輝度との関係）を示す情報は、予め、複数の種類の用紙のそれぞれに、規定の輝度の光を照射し、各用紙で反射された光の輝度を計測した結果から得ることができる。当該予め定められた関係を示す情報は、例えば、複数の用紙の種類と反射輝度との関係を表したテーブルにより示されてもよく、ストレージ１０３に記憶されていてもよい。また、当該予め定められた関係を示す情報は、外部の情報処理装置（図示せず）から通信ネットワークを介して取得されてもよい。
【００８５】
変換部１２０は、取得部１１０により取得された能力情報Ｉ１が印刷結果を示す情報を含む場合、その印刷結果に応じて決定した輝度範囲（ダイナミックレンジ）を、第２のダイナミックレンジとする。そして、変換部１２０は、その第２のダイナミックレンジに基づき、第１静止画データＤ１を第２静止画データＤ２へ変換する。
【００８６】
変換部１２０は、例えば、ＣＰＵ１０１、メインメモリ１０２、ストレージ１０３（図１４参照）、等により実現されてもよい。変換部１２０は、半導体集積回路等で構成された専用回路により実現されてもよい。
【００８７】
出力部１３０は、変換部１２０により第１静止画データＤ１から変換された第２静止画データＤ２を、印刷装置２００に出力する。出力部１３０は、例えば、通信ＩＦ１０５（図１４参照）により実現されてもよい。
【００８８】
印刷装置２００は、画像処理装置１００からの第２静止画データＤ２およびユーザからの印刷指示を受信する。そして、印刷装置２００は、受信した印刷指示において指定された種類の用紙に、受信した第２静止画データＤ２が示す静止画を印刷する。
【００８９】
なお、画像処理装置１００は、印刷装置２００に、テストパターンを印刷させるための印刷指示を出力し、印刷装置２００にそのテストパターンの印刷を実行させてもよい。また、画像処理装置１００は、ディスプレイ（図示せず）を備えていてもよい。あるいは、画像処理装置１００にディスプレイが接続されていてもよい。そして、画像処理装置１００は、テストパターンの印刷を実行させる印刷指示を印刷装置２００に出力した後に、テストパターンが用紙に印刷されることで得られる印刷結果をユーザに入力してもらうための入力指示を、ディスプレイに表示してもよい。この入力指示は、例えば、テストパターンが印刷された用紙から得られる印刷結果の入力をユーザに促す、メッセージ、画像、またはＵＩ（Ｕｓｅｒ  Ｉｎｔｅｒｆａｃｅ）、等であってもよい。
【００９０】
図１６は、実施の形態１におけるテストパターン１５０を用紙に印刷した結果の一例を示す図である。
【００９１】
本実施の形態では、特定のパターン（テストパターン）として、例えば図１６に示すテストパターン１５０が、印刷装置２００で印刷に用いる用紙Ｐ１に印刷される。図１６に一例として示すテストパターン１５０には、パターン１〜３と、パターン４〜６と、が含まれている。パターン１〜３は、図１６に示すように、用紙Ｐ１において、左側上段（図１６における左側上段）の領域に、縦方向に並列に３本の比較基準となる黒が配置され、各黒の右側の領域にグレーが配置され、各グレーの濃さが上から順に薄くなるパターンである。すなわち、パターン１〜３は、用紙Ｐ１の左側（図１６における左側）に配置された３本の黒を比較基準として、各黒の右側に配置されたグレーが、濃いグレーから薄いグレーに３段階で変化するパターンである。パターン４〜６は、図１６に示すように、用紙Ｐ１において、左側下段（図１６における左側下段）の領域に、縦方向に並列に３本の比較基準となる白が配置され、各白の右側の領域にグレーが配置され、各グレーの濃さが上から順に薄くなるパターンである。すなわち、パターン４〜６は、用紙Ｐ１の左側（図１６における左側）に配置された３本の白を比較基準として、各白の右側に配置されたグレーが、薄いグレーからさらに薄いグレーに３段階で変化するパターンである。なお、図１６に示すように、パターン１〜６には、パターン１〜６を互いに区別するための数字１〜６が並記されている。
【００９２】
なお、パターン１〜６の配置位置は何ら図１６に示す配置位置に限定されない。各パターンが横方向に配置されていてもよい。また、パターン１〜６以外のパターンがテストパターン１５０に含まれていてもよい。また、テストパターン１５０に含まれるパターンの数は５以下であってもよく、７以上であってもよい。例えば、パターン１〜６に加えて、グレーの濃さがより細かく変化した単数または複数のパターンが、図１６に示すテストパターン１５０にさらに含まれていてもよい。
【００９３】
画像処理装置１００においては、例えば、テストパターン１５０が印刷された用紙Ｐ１を参照し、比較基準の黒または白とグレーとの階調を判別できるパターン（または、判別できないパターン）の番号を画像処理装置１００（または、印刷装置２００）に入力することをユーザに促す入力指示が、例えばディスプレイ等を通して、ユーザに示される。一方、画像処理装置１００には、パターン１〜３の各番号とパターン４〜６の各番号との組み合わせ（例えば、９通りの組み合わせ）と、輝度範囲（ダイナミックレンジ）とが対応付けられたテーブルが、例えばストレージ１０３等に記憶されている。そして、その入力指示に従った入力操作がユーザにより行われることで、画像処理装置１００は、パターン１〜６の番号の組み合わせを取得する。このようにして得られた番号の組み合わせを、本実施の形態では「印刷結果」という。この番号の組み合わせは、印刷結果の一例である。なお、図１６に示すテストパターン１５０では、番号に代えて、例えば、アルファベット、記号、その他の文字、またはそれらの組み合わせ、等が用いられてもよい。
【００９４】
画像処理装置１００では、パターン１〜６の番号の例えば９通りの組み合わせのそれぞれに予め対応付けられている輝度範囲の中から、ユーザによって入力された２つの番号（すなわち、パターン１〜３のいずれかの番号とパターン４〜６のいずれかの番号）に対応する１つの輝度範囲が、当該用紙に対応する第２のダイナミックレンジとして選択される。それらの動作の具体的な一例を示す。例えば、画像処理装置１００において、ユーザに、パターン１〜３のうちの階調を判別できる最も小さいパターンの番号と、パターン４〜６のうちの階調を判別できる最も大きいパターンの番号とを入力することを促す入力指示が、ディスプレイ等を通して、示される。そして、画像処理装置１００は、その入力指示に従ってユーザから入力された２つパターンの番号に基づき、そのパターンの番号の組合せに予め対応付けられた輝度範囲を選択し、選択した輝度範囲を第２のダイナミックレンジとする。このようにして、第２のダイナミックレンジが、画像処理装置１００において決定される。
【００９５】
図１７は、実施の形態１に示す変換部１２０における、第１のダイナミックレンジから第２のダイナミックレンジへ変換するための、第１のダイナミックレンジの信号値と第２のダイナミックレンジの信号値との関係の一例を模式的に示す図である。なお、第１のダイナミックレンジの信号値は、例えば、ＨＤＲにおける輝度であり、第２のダイナミックレンジの信号値は、ＨＤＲの最大輝度よりも小さい最大輝度を有する輝度範囲（ダイナミックレンジ）の輝度である。
【００９６】
表示装置では、画素毎に、光の３原色であるＲＧＢ（Ｒｅｄ、Ｇｒｅｅｎ、Ｂｌｕｅ）の発光の強弱が調整されることで、画像が表示される。そのため、表示装置では、画像は絶対輝度で表現される。一方、印刷装置では、用紙に、ＣＭＹＫ（Ｃｙａｎ、Ｍａｇｅｎｔａ、Ｙｅｌｌｏｗ、ｂｌａｃＫ）を含む複数の塗料が印刷されることで、画像が表示される。用紙に印刷された画像は、用紙に塗布された塗料に応じて反射した光の輝度で表現される。そのため、その画像における最大輝度は、塗料が塗布されていない白（用紙の白）の領域の輝度となる。また、用紙の種類（用紙の反射率）、用紙へ照射される光の輝度、用紙へ照射される光の角度、等によって、用紙において反射される光の明るさは変化する。
【００９７】
したがって、輝度範囲（ダイナミックレンジ）が拡張された高品位な画像を用紙に印刷するためには、用紙の種類、画像が印刷された用紙を設置する環境を照射する光源の種類および明るさ、等を想定した上で、ＨＤＲ画像の信号レベルを第１のダイナミックレンジから第２のダイナミックレンジへ変換する変換処理を行うことが有効である。
【００９８】
変換部１２０は、例えば、図１７に示すように、第１のダイナミックレンジを、用紙の表現能力の上限（すなわち、用紙の白で表現される輝度）を最大輝度とした第２のダイナミックレンジへ変換する処理を行うことで、第１静止画データＤ１としてのＨＤＲ画像データを、第２静止画データＤ２へ変換する。用紙の白で表現される最大輝度は、例えば、用紙の反射率から求めることができる。変換部１２０は、例えば、用紙の反射率を用いて、規定の輝度の光が当該用紙の白で反射したときの反射光の輝度（以下、「反射輝度」という）を算出し、算出した反射輝度を当該用紙の表現能力の上限としてもよい。
【００９９】
また、変換部１２０は、第１静止画データＤ１における最大輝度を取得し、第１静止画データＤ１における最大輝度が反射輝度となるように、輝度範囲（ダイナミックレンジ）を変換することにより、第１静止画データＤ１を第２静止画データＤ２へ変換してもよい。
【０１００】
（１−２．動作）
図１８は、実施の形態１における画像処理装置１００の動作の一例を示すフローチャートである。
【０１０１】
取得部１１０は、第１静止画データＤ１を取得する（ステップＳ１０１）。
【０１０２】
取得部１１０は、能力情報Ｉ１を取得する（ステップＳ１０２）。
【０１０３】
変換部１２０は、取得部１１０により取得された第１静止画データＤ１を、取得部１１０により取得された能力情報Ｉ１が示す印刷能力に応じた第２のダイナミックレンジに基づき、第２静止画データＤ２に変換する（ステップＳ１０３）。
【０１０４】
出力部１３０は、変換部１２０により第１静止画データＤ１から変換された第２静止画データＤ２を、印刷装置２００に出力する（ステップＳ１０４）。
【０１０５】
（１−３．効果等）
以上のように、本実施の形態において、画像処理装置は、撮像により得られ輝度範囲が第１のダイナミックレンジで定義された第１静止画データと印刷装置の印刷能力を示す能力情報とを取得する取得部と、取得部により取得された第１静止画データを、取得部により取得された能力情報が示す印刷能力に応じて、第１のダイナミックレンジよりも輝度範囲が狭い第２のダイナミックレンジで定義された第２静止画データに変換する変換部と、変換部により変換された第２静止画データを印刷装置に出力する出力部と、を備える。
【０１０６】
また、本実施の形態において、画像処理方法は、撮像により得られ輝度範囲が第１のダイナミックレンジで定義された第１静止画データを取得し、印刷装置の印刷能力を示す能力情報を取得し、取得した第１静止画データを、取得した能力情報が示す印刷能力に応じて、第１のダイナミックレンジよりも輝度範囲が狭い第２のダイナミックレンジで定義された第２静止画データに変換し、変換した第２静止画データを印刷装置に出力する。
【０１０７】
なお、画像処理装置１００は画像処理装置の一例である。第１静止画データＤ１は第１静止画データの一例である。印刷装置２００は印刷装置の一例である。能力情報Ｉ１は能力情報の一例である。取得部１１０は取得部の一例である。第２静止画データＤ２は第２静止画データの一例である。変換部１２０は変換部の一例である。出力部１３０は出力部の一例である。
【０１０８】
例えば、実施の形態１に示した例では、画像処理装置１００は、撮像により得られ輝度範囲が第１のダイナミックレンジで定義された第１静止画データＤ１と印刷装置２００の印刷能力を示す能力情報Ｉ１とを取得する取得部１１０と、取得部１１０により取得された第１静止画データＤ１を、取得部１１０により取得された能力情報Ｉ１が示す印刷能力に応じて、第１のダイナミックレンジよりも輝度範囲が狭い第２のダイナミックレンジで定義された第２静止画データＤ２に変換する変換部１２０と、変換部１２０により変換された第２静止画データＤ２を印刷装置２００に出力する出力部１３０と、を備える。
【０１０９】
また、実施の形態１に示した例では、画像処理装置１００で実行される画像処理方法は、撮像により得られ輝度範囲が第１のダイナミックレンジで定義された第１静止画データＤ１を取得し（ステップＳ１０１）、印刷装置２００の印刷能力を示す能力情報Ｉ１を取得し（ステップＳ１０２）、取得した第１静止画データＤ１を、取得した能力情報Ｉ１が示す印刷能力に応じて、第１のダイナミックレンジよりも輝度範囲が狭い第２のダイナミックレンジで定義された第２静止画データＤ２に変換し（ステップＳ１０３）、変換した第２静止画データＤ２を印刷装置２００に出力する（ステップＳ１０４）。
【０１１０】
このように構成された画像処理装置１００は、第１静止画データＤ１を、印刷装置２００の印刷能力に応じて決定された第２のダイナミックレンジで定義された第２静止画データＤ２に変換し、当該第２静止画データＤ２を印刷装置２００に出力することができる。このため、画像処理装置１００は、印刷装置２００の印刷能力に応じた輝度範囲（ダイナミックレンジ）で、第１静止画データＤ１に基づく画像を、印刷装置２００に印刷させることができる。よって、画像処理装置１００は、第１静止画データＤ１に基づく画像を、印刷装置２００に高品位に印刷させることができる。
【０１１１】
当該画像処理装置において、取得部は、能力情報として、印刷装置で印刷に用いる用紙の種類を示す紙情報を取得してもよい。変換部は、複数の用紙の種類と、当該用紙に光を照射したときに当該用紙で反射される当該光の反射輝度との関係を参照することで、取得部により取得された紙情報が示す用紙の種類に対応する反射輝度を特定してもよい。そして、変換部は、特定した反射輝度を最大輝度とする輝度範囲を第２のダイナミックレンジとして、第１静止画データから第２静止画データへ変換してもよい。
【０１１２】
例えば、実施の形態１に示した例では、画像処理装置１００において、取得部１１０は、能力情報Ｉ１として、印刷装置２００で印刷に用いる用紙の種類を示す紙情報を取得する。変換部１２０は、複数の用紙の種類と、当該用紙に光を照射したときに当該用紙で反射される当該光の反射輝度との関係を参照することで、取得部１１０により取得された紙情報が示す用紙の種類に対応する反射輝度を特定する。そして、変換部１２０は、特定した反射輝度を最大輝度とする輝度範囲を第２のダイナミックレンジとして、第１静止画データＤ１から第２静止画データＤ２へ変換する。
【０１１３】
このように構成された画像処理装置１００は、第１静止画データＤ１を、印刷装置２００で印刷に用いる用紙の種類に基づく第２のダイナミックレンジで定義された第２静止画データＤ２に変換し、当該第２静止画データＤ２を印刷装置２００に出力することができる。このため、画像処理装置１００は、第１静止画データＤ１に基づく画像を、当該用紙の表現能力に応じた輝度範囲（ダイナミックレンジ）で、印刷装置２００に印刷させることができる。よって、画像処理装置１００は、第１静止画データＤ１に基づく画像を、印刷装置２００に高品位に印刷させることができる。
【０１１４】
当該画像処理装置において、取得部は、能力情報として、印刷装置で印刷に用いる用紙に当該印刷装置が特定のパターンを印刷して得られた印刷結果を取得してもよい。変換部は、取得部により取得された当該印刷結果に応じて決定した輝度範囲を第２のダイナミックレンジとして、第１静止画データから第２静止画データへ変換してもよい。
【０１１５】
なお、図１６に示すテストパターン１５０は特定のパターンの一例である。図１６に示すテストパターン１５０が印刷された用紙Ｐ１を参照したユーザから画像処理装置１００が得られるパターン１〜６の番号の組み合わせは、印刷結果の一例である。
【０１１６】
例えば、実施の形態１に示した例では、画像処理装置１００において、取得部１１０は、能力情報Ｉ１として、印刷装置２００で印刷に用いる用紙に印刷装置２００が特定のパターンを印刷して得られた印刷結果を取得する。変換部１２０は、取得部１１０により取得された当該印刷結果に応じて決定した輝度範囲を第２のダイナミックレンジとして、第１静止画データＤ１から第２静止画データＤ２へ変換する。
【０１１７】
このように構成された画像処理装置１００では、印刷装置２００で印刷に用いる用紙に特定のパターンを印刷し、特定のパターンが印刷された用紙Ｐ１に基づく印刷結果をユーザから取得し、取得された印刷結果に応じて、第２のダイナミックレンジを決定することができる。そして、画像処理装置１００は、第１静止画データＤ１を、その第２のダイナミックレンジで定義された第２静止画データＤ２に変換して、当該第２静止画データＤ２を印刷装置２００に出力することができる。つまり、画像処理装置１００は、印刷装置２００で印刷に用いる用紙の表現能力（すなわち、当該用紙の白で表現される輝度を最大輝度とした輝度範囲）を容易に推定でき、当該用紙の表現能力に適した輝度範囲（ダイナミックレンジ）を第２のダイナミックレンジとすることで、第２のダイナミックレンジを容易に決定することができる。このため、画像処理装置１００は、第１静止画データＤ１に基づく画像を、印刷装置２００に高品位に印刷させることができる。
【０１１８】
当該画像処理装置において、第１のダイナミックレンジは、ＨＤＲであってもよい。
【０１１９】
例えば、実施の形態１に示した例では、画像処理装置１００において、第１のダイナミックレンジは、ＨＤＲである。
【０１２０】
したがって、この画像処理装置１００は、ＨＤＲに対応している第１静止画データＤ１の輝度範囲（ダイナミックレンジ）を極力損なわずに、第１静止画データＤ１に基づく画像を、高品位に印刷装置２００に印刷させることができる。
【０１２１】
（１−４．実施の形態１の変形例）
次に、図１９〜図２１を参照しながら、実施の形態１の変形例１〜５について説明する。なお、以下の説明において、実施の形態１で説明した構成要素と実質的に同じ構成要素には、その構成要素と同じ符号を付与し、説明を省略する。また、以下の説明において、画像処理装置１００Ａ、１００Ｂ、１００Ｃは、それぞれが画像処理装置の一例である。取得部１１０Ａ、１１０Ｂ、１１０Ｃは、それぞれが取得部の一例である。変換部１２０Ｃは変換部の一例である。印刷装置２００Ａ、２００Ｂは、それぞれが印刷装置の一例である。
【０１２２】
（１−４−１．変形例１）
まず、実施の形態１の変形例１について説明する。
【０１２３】
図１９は、実施の形態１の変形例１における画像処理装置１００Ａの機能構成の一例を模式的に示すブロック図である。
【０１２４】
画像処理装置１００Ａは、取得部１１０Ａと、変換部１２０と、出力部１３０と、を備える。変形例１における画像処理装置１００Ａは、実施の形態１における画像処理装置１００と比較して、能力情報Ｉ１を入力装置３００から取得する点が画像処理装置１００と異なる。画像処理装置１００Ａにおけるその他の構成は、実施の形態１における画像処理装置１００と実質的に同じであるので詳細な説明を省略する。
【０１２５】
取得部１１０Ａは、実施の形態１の画像処理装置１００における取得部１１０と同様に、第１静止画データＤ１と、能力情報Ｉ１と、を取得する。
【０１２６】
取得部１１０Ａは、実施の形態１の画像処理装置１００における取得部１１０と同様に、第１静止画データＤ１を、例えば、画像処理装置１００Ａに有線接続または無線接続された、撮像装置、情報端末、または記憶装置、等から取得してもよい。第１静止画データＤ１を取得する取得部１１０Ａは、例えば、通信ＩＦ１０５（図１４参照）により実現されてもよい。
【０１２７】
取得部１１０Ａは、能力情報Ｉ１を、例えば、画像処理装置１００Ａに有線接続または無線接続された入力装置３００から取得してもよい。取得部１１０Ａが取得する能力情報Ｉ１は、実施の形態１と同様に、紙情報であってもよいし、印刷結果であってもよい。能力情報Ｉ１を取得する取得部１１０Ａは、例えば、通信ＩＦ１０５（図１４参照）により実現されてもよい。
【０１２８】
入力装置３００は、例えば、ユーザが印刷指示を印刷装置２００に出力するための情報端末であり、例えば、スマートフォン、タブレット端末、またはＰＣ、等である。入力装置３００は、入力ＩＦおよび通信ＩＦを備えており（図示せず）、当該入力ＩＦにおいて入力された紙情報を含む印刷指示を、当該通信ＩＦを用いて画像処理装置１００Ａに送信する。入力装置３００が備える入力ＩＦは、例えば、入力ＩＦ１０４（図１４参照）と同様の構成であってもよい。また、入力装置３００が備える通信ＩＦは、画像処理装置１００Ａと通信可能な構成であればよく、例えば、通信ＩＦ１０５（図１４参照）と同様の構成であってもよい。
【０１２９】
このように、画像処理装置１００Ａは、外部の入力装置３００を介して能力情報Ｉ１を含む印刷指示を取得してもよい。また、画像処理装置１００Ａは、ユーザによって入力装置３００に入力された印刷結果を、入力装置３００から取得してもよい。
【０１３０】
（１−４−２．変形例２）
次に、実施の形態１の変形例２について説明する。
【０１３１】
図２０は、実施の形態１の変形例２における画像処理装置１００Ｂの機能構成の一例を模式的に示すブロック図である。
【０１３２】
画像処理装置１００Ｂは、取得部１１０Ｂと、変換部１２０と、出力部１３０と、を備える。変形例２における画像処理装置１００Ｂは、実施の形態１における画像処理装置１００と比較して、能力情報Ｉ１を印刷装置２００Ａから取得する点が画像処理装置１００と異なる。画像処理装置１００Ｂにおけるその他の構成は、実施の形態１における画像処理装置１００と実質的に同じであるので詳細な説明を省略する。
【０１３３】
取得部１１０Ｂは、実施の形態１における取得部１１０および変形例１における取得部１１０Ａと同様に、第１静止画データＤ１と、能力情報Ｉ１と、を取得する。
【０１３４】
取得部１１０Ｂは、実施の形態１の画像処理装置１００における取得部１１０と同様に、第１静止画データＤ１を、例えば、画像処理装置１００Ｂに有線接続または無線接続された、撮像装置、情報端末、または記憶装置、等から取得してもよい。第１静止画データＤ１を取得する取得部１１０Ｂは、例えば、通信ＩＦ１０５（図１４参照）により実現されてもよい。
【０１３５】
取得部１１０Ｂは、能力情報Ｉ１を、例えば、画像処理装置１００Ｂに有線接続または無線接続された印刷装置２００Ａから取得してもよい。取得部１１０Ｂが取得する能力情報Ｉ１は、実施の形態１および変形例１と同様に、紙情報であってもよいし、印刷結果であってもよい。能力情報Ｉ１を取得する取得部１１０Ｂは、例えば、通信ＩＦ１０５（図１４参照）により実現されてもよい。
【０１３６】
印刷装置２００Ａは、ユーザが印刷指示を印刷装置２００Ａに入力するための入力ＩＦ２０１を備える。印刷装置２００Ａは、入力ＩＦ２０１への印刷指示をユーザから受け付けると、当該印刷指示を、印刷装置２００Ａが備える通信ＩＦ（図示せず）を介して、画像処理装置１００Ｂに送信する。入力ＩＦ２０１は、例えば、タッチパネル、入力ボタン、およびディスプレイ、等のうちの１つまたは複数を備えて構成される。印刷装置２００Ａが備える通信ＩＦは、画像処理装置１００Ｂと通信可能な構成であればよく、例えば、通信ＩＦ１０５（図１４参照）と同様の構成であってもよい。
【０１３７】
このように、画像処理装置１００Ｂは、印刷装置２００Ａを介して能力情報Ｉ１を含む印刷指示を取得してもよい。また、画像処理装置１００Ｂは、ユーザによって印刷装置２００Ａに入力された印刷結果を、印刷装置２００Ａから取得してもよい。
【０１３８】
（１−４−３．変形例３）
次に、実施の形態１の変形例３について説明する。
【０１３９】
図２１は、実施の形態１の変形例３における画像処理装置１００Ｃの機能構成の一例を模式的に示すブロック図である。
【０１４０】
画像処理装置１００Ｃは、取得部１１０Ｃと、変換部１２０Ｃと、出力部１３０と、を備える。変形例３における画像処理装置１００Ｃは、変形例２における画像処理装置１００Ｂと比較して、能力情報Ｉ１とは異なる能力情報Ｉ２を印刷装置２００Ｂから取得する点が画像処理装置１００Ｂと異なる。また、変形例３における画像処理装置１００Ｃは、変換部１２０Ｃにおける処理が、変形例２における変換部１２０における処理とは異なる。画像処理装置１００Ｃにおけるその他の構成は、変形例２における画像処理装置１００Ｂと実質的に同じであるので詳細な説明を省略する。
【０１４１】
取得部１１０Ｃは、第１静止画データＤ１と、能力情報Ｉ２と、を取得する。
【０１４２】
取得部１１０Ｃは、実施の形態１の画像処理装置１００における取得部１１０と同様に、第１静止画データＤ１を、例えば、画像処理装置１００Ｃに有線接続または無線接続された、撮像装置、情報端末、または記憶装置、等から取得してもよい。第１静止画データＤ１を取得する取得部１１０Ｃは、例えば、通信ＩＦ１０５（図１４参照）により実現されてもよい。
【０１４３】
取得部１１０Ｃは、能力情報Ｉ２を、画像処理装置１００Ｃに有線接続または無線接続された印刷装置２００Ｂから取得する。具体的には、取得部１１０Ｃは、能力情報Ｉ２として、印刷装置２００Ｂで印刷に用いる用紙（例えば、印刷前の、何も印刷されていない用紙）が印刷装置２００Ｂのスキャナ２０２でスキャンされることにより得られたスキャン画像を取得する。取得部１１０Ｃは、例えば、通信ＩＦ１０５（図１４参照）により実現される。
【０１４４】
変換部１２０Ｃは、取得部１１０Ｃにより取得されたスキャン画像の輝度（反射輝度）に基づいて、スキャナ２０２でスキャンされた用紙に対応する最大輝度を特定する。そして、変換部１２０Ｃは、その最大輝度に基づき第２のダイナミックレンジを決定する。すなわち、変換部１２０Ｃは、能力情報Ｉ２に基づき特定した反射輝度を最大輝度とする輝度範囲（ダイナミックレンジ）を第２のダイナミックレンジとして、第１静止画データを第２静止画データへ変換する。変換部１２０Ｃは、例えば、ＣＰＵ１０１、メインメモリ１０２、ストレージ１０３、等により（図１４参照）実現される。
【０１４５】
変換部１２０Ｃは、スキャナ２０２の種類に応じて変換処理を変更してもよい。変換部１２０Ｃは、例えば、スキャナ２０２が有する光源の明るさと、スキャナ２０２が有するイメージセンサの感度との少なくとも一方に応じて、得られた画像の輝度を補正してもよい。変換部１２０Ｃは、例えば、スキャナ２０２が有する光源の明るさが明るいほど、得られた画像の輝度が小さくなるように、画像の輝度を補正してもよい。また、変換部１２０Ｃは、例えば、スキャナ２０２が有するイメージセンサの感度が高いほど、得られた画像の輝度が小さくなるように、画像の輝度を補正してもよい。なお、この場合、画像処理装置１００Ｃは、スキャナ２０２の種類を表す情報と、画像の輝度を補正するための補正処理を表す情報とを予め関係付けた補正情報を、ストレージ１０３に記憶していてもよい。また、画像処理装置１００Ｃは、印刷装置２００Ｂからスキャナ２０２の種類を表す情報を取得し、取得したスキャナ２０２の種類を表す情報に対応する補正処理を補正情報から特定し、特定した補正処理を行うことで、スキャナ２０２の種類に応じた変換処理を行ってもよい。なお、本変形例において、補正情報は、ストレージ１０３に記憶されていなくてもよい。画像処理装置１００Ｃは、補正情報を、外部の情報処理装置から通信ＩＦ１０５（図１４参照）を介して取得してもよい。
【０１４６】
印刷装置２００Ｂは、スキャナ２０２を備えている。印刷装置２００Ｂは、印刷装置２００Ｂで印刷に用いる用紙（例えば、印刷前の、何も印刷されていない用紙）をスキャナ２０２でスキャンすることにより、スキャン画像を得ることができる。印刷装置２００Ｂは、得られたスキャン画像を、能力情報Ｉ２として、印刷装置２００Ｂが備える通信ＩＦ（図示せず）を介して、画像処理装置１００Ｃに送信する。
【０１４７】
例えば、画像処理装置１００Ｃは、ディスプレイを備えていてもよい。そして、画像処理装置１００Ｃは、スキャン指示をディスプレイに表示させてもよい。このスキャン指示は、画像処理装置１００Ｃに接続されている印刷装置２００Ｂが備えるスキャナ２０２で、印刷装置２００Ｂで印刷に用いる用紙をスキャンするようにユーザに促す、メッセージ、画像、またはＵＩ、等であってもよい。この場合、画像処理装置１００Ｃは、画像処理装置１００Ｃに接続されている印刷装置２００Ｂと有線通信または無線通信することで、印刷装置２００Ｂがスキャナ２０２を備えているか否かを判定してもよい。また、画像処理装置１００Ｃは、ユーザに用紙のスキャンを促すスキャン指示をディスプレイに表示し、印刷装置２００Ｂにおいて用紙のスキャンが行われ、当該スキャンで用紙のスキャン画像が得られた場合に、印刷装置２００Ｂに対して、得られたスキャン画像を画像処理装置１００Ｃに送信させる制御を行ってもよい。
【０１４８】
以上のように、本変形例の画像処理装置おいて、取得部は、能力情報として、印刷装置で印刷に用いる用紙がスキャンされることにより得られたスキャン画像を取得してもよい。変換部は、取得部により取得された当該スキャン画像の輝度に基づいて、当該用紙に光を照射したときに当該用紙で反射される当該光の反射輝度を特定し、特定した反射輝度を最大輝度とする輝度範囲を第２のダイナミックレンジとして、第１静止画データから第２静止画データへ変換してもよい。
【０１４９】
なお、能力情報Ｉ２は能力情報の一例である。
【０１５０】
例えば、変形例３に示した例では、画像処理装置１００Ｃにおいて、取得部１１０Ｃは、能力情報Ｉ２として、印刷装置２００Ｂで印刷に用いる用紙がスキャンされることにより得られたスキャン画像を取得する。変換部１２０Ｃは、取得部１１０Ｃにより取得された当該スキャン画像の輝度に基づいて、当該用紙に光を照射したときに当該用紙で反射される当該光の反射輝度を特定し、特定した反射輝度を最大輝度とする輝度範囲を第２のダイナミックレンジとして、第１静止画データＤ１から第２静止画データＤ２へ変換する。
【０１５１】
このように構成された画像処理装置１００Ｃでは、印刷装置２００Ｂで印刷に用いる用紙を、スキャナ２０２でスキャンすることによりスキャン画像を取得し、取得されたスキャン画像に応じて、第２のダイナミックレンジを決定することができる。そして、画像処理装置１００Ｃは、第１静止画データＤ１を、その第２のダイナミックレンジで定義された第２静止画データＤ２に変換し、当該第２静止画データＤ２を印刷装置２００Ｂに出力することができる。つまり、画像処理装置１００Ｃは、印刷装置２００Ｂで印刷に用いる用紙の表現能力（すなわち、当該用紙の白で表現される輝度を最大輝度とした輝度範囲）を容易に推定でき、当該用紙の表現能力に適した輝度範囲（ダイナミックレンジ）を第２のダイナミックレンジとすることで、第２のダイナミックレンジを容易に決定することができる。このため、画像処理装置１００Ｃは、第１静止画データＤ１に基づく画像を、印刷装置２００Ｂに高品位に印刷させることができる。
【０１５２】
なお、画像処理装置１００Ｃは、ユーザによって印刷装置２００Ｂに入力された印刷結果を、印刷装置２００Ｂから取得してもよい。
【０１５３】
（１−４−４．変形例４）
次に、実施の形態の変形例４について説明する。
【０１５４】
実施の形態１（および実施の形態１の変形例１〜３）では、画像処理装置１００（１００Ａ、１００Ｂ、または１００Ｃ）は、印刷装置２００（２００Ａ、または２００Ｂ）とは別体の独立した装置である構成例を説明したが、本開示は何らこの構成に限定されない。例えば、画像処理装置１００または画像処理装置１００Ａに印刷装置２００が組み込まれていてもよく、画像処理装置１００Ｂに印刷装置２００Ａが組み込まれていてもよく、画像処理装置１００Ｃに印刷装置２００Ｂが組み込まれていてもよい。この場合、画像処理装置１００（１００Ａ、１００Ｂ、または１００Ｃ）において、印刷装置２００（２００Ａ、または２００Ｂ）と通信可能な通信ＩＦ１０５は省略されてもよい。
【０１５５】
（１−４−５．変形例５）
次に、実施の形態１の変形例５について説明する。
【０１５６】
実施の形態１および変形例１〜４では、変換部１２０（１２０Ｃ）が、第１静止画データＤ１を第２静止画データＤ２に変換する処理を行う構成例を説明したが、本開示は何らこの構成に限定されない。
【０１５７】
変換部１２０（１２０Ｃ）は、第１静止画データＤ１の最大輝度が、用紙に対応する反射輝度（紙情報により特定される反射輝度、または、スキャン画像から取得される反射輝度）よりも小さい場合、第１静止画データＤ１から第２静止画データＤ２への変換を行わなくてもよい。
【０１５８】
この場合、取得部１１０（１１０Ａ、１１０Ｂ、または１１０Ｃ）は、第１静止画データＤ１を取得すると共に、さらに、第１のダイナミックレンジよりも輝度範囲（ダイナミックレンジ）が狭い第３のダイナミックレンジで定義された第３静止画データＤ３を取得する（図２２参照）。第３のダイナミックレンジは、例えば、ＳＤＲ（Ｓｔａｎｄａｒｄ  Ｄｙｎａｍｉｃ  Ｒａｎｇｅ）である。
【０１５９】
なお、取得部１１０（１１０Ａ、１１０Ｂ、または１１０Ｃ）は、第３静止画データＤ３を、第１静止画データＤ１を取得するときと同様に、画像処理装置１００（１００Ａ、１００Ｂ、または１００Ｃ）に有線接続または無線接続された、撮像装置、情報端末、または記憶装置、等から取得してもよい。例えば、被写体を撮像して第１静止画データＤ１を生成する撮像装置（例えば、図９に示すＨＤＲ撮像装置１０、等）が、その被写体の撮像時に、第１静止画データＤ１とともに第３静止画データＤ３も生成することができる場合は、取得部１１０（１１０Ａ、１１０Ｂ、または１１０Ｃ）は、その撮像装置から第３静止画データＤ３を取得することができる。
【０１６０】
そして、出力部１３０は、取得部１１０（１１０Ａ、１１０Ｂ、または１１０Ｃ）により取得された第３静止画データＤ３を、印刷装置２００（２００Ａ、または２００Ｂ）に出力する。
【０１６１】
すなわち、変形例５における画像処理装置において、取得部は、第１静止画データを取得すると共に、さらに、第１のダイナミックレンジよりも輝度範囲が狭い第３のダイナミックレンジで定義された第３静止画データを取得してもよい。第１静止画データの最大輝度が当該用紙に対応する反射輝度よりも小さい場合、変換部は、第１静止画データから第２静止画データへの変換を行わず、出力部は、取得部により取得された第３静止画データを印刷装置に出力してもよい。
【０１６２】
なお、第３静止画データＤ３は第３静止画データの一例である。
【０１６３】
例えば、変形例５に示した例では、画像処理装置１００（１００Ａ、１００Ｂ、または１００Ｃ）において、取得部１１０（１１０Ａ、１１０Ｂ、または１１０Ｃ）は、第１静止画データＤ１を取得すると共に、さらに、第１のダイナミックレンジよりも輝度範囲が狭い第３のダイナミックレンジで定義された第３静止画データＤ３を取得する。第１静止画データＤ１の最大輝度が当該用紙に対応する反射輝度よりも小さい場合、変換部１２０（１２０Ｃ）は、第１静止画データＤ１から第２静止画データＤ２への変換を行わず、出力部１３０は、取得部１１０（１１０Ａ、１１０Ｂ、または１１０Ｃ）により取得された第３静止画データＤ３を印刷装置２００（２００Ａ、または２００Ｂ）に出力する。
【０１６４】
このように構成された画像処理装置１００（１００Ａ、１００Ｂ、または１００Ｃ）は、ＨＤＲの第１静止画データＤ１の最大輝度が、用紙に対応する反射輝度よりも小さい場合に、ＳＤＲの第３静止画データＤ３を印刷装置２００（２００Ａ、または２００Ｂ）に出力し、第３静止画データＤ３による画像を印刷装置２００（２００Ａ、または２００Ｂ）で印刷することができる。
【０１６５】
例えば、第１静止画データＤ１の最大輝度が、印刷装置２００（２００Ａ、または２００Ｂ）で印刷に用いる用紙に対応する反射輝度よりも小さく、そのために、第１静止画データＤ１から第２静止画データＤ２への変換処理を行っても、高品位な画像を印刷装置２００（２００Ａ、または２００Ｂ）において印刷できない場合がある。そのような場合に、画像処理装置１００（１００Ａ、１００Ｂ、または１００Ｃ）は、第１静止画データＤ１から第２静止画データＤ２への変換処理を行わず、ＳＤＲの第３静止画データＤ３を印刷装置２００（２００Ａ、または２００Ｂ）に出力する。そのため、変形例５に示す構成例によれば、画像処理装置１００（１００Ａ、１００Ｂ、または１００Ｃ）において、変換処理に係る負荷を低減することができる。
【０１６６】
（１−５．まとめ）
図２２は、実施の形態１（または変形例１〜５）における画像処理装置１００（１００Ａ、１００Ｂ、または１００Ｃ）の実施例を説明するための模式図である。
【０１６７】
図２２に示すように、画像処理装置１００（１００Ａ、１００Ｂ、または１００Ｃ）は、ＨＤＲ画像である第１静止画データＤ１を取得して、ＨＤＲ表示装置３０にそのまま出力する。ＨＤＲ表示装置３０は、ＨＤＲに対応しているため、第１静止画データＤ１を高品位に表示することができる。
【０１６８】
また、画像処理装置１００（１００Ａ、１００Ｂ、または１００Ｃ）は、第１静止画データＤ１と、ＳＤＲ印刷装置５０の能力情報Ｉ１（Ｉ２）とを取得する。そして、画像処理装置１００（１００Ａ、１００Ｂ、または１００Ｃ）は、取得した能力情報Ｉ１（Ｉ２）に基づいて第１静止画データＤ１を第２静止画データＤ２に変換し、変換した第２静止画データＤ２をＳＤＲ印刷装置５０に出力する。ＳＤＲ印刷装置５０は、第１静止画データＤ１をそのまま印刷することはできない。しかし、ＳＤＲ印刷装置５０は、画像処理装置１００（１００Ａ、１００Ｂ、または１００Ｃ）において第１静止画データＤ１から変換された第２静止画データＤ２には対応しているため、第２静止画データＤ２を用いて第２静止画データＤ２に基づく画像を用紙に印刷することができる。また、第２静止画データＤ２は、ＳＤＲ画像である第３静止画データＤ３よりも広い輝度範囲（ダイナミックレンジ）で定義されているため、第３静止画データＤ３によるＳＤＲ画像よりも高品位な画像を用紙に印刷することができる。
【０１６９】
また、画像処理装置１００（１００Ａ、１００Ｂ、または１００Ｃ）は、第１静止画データＤ１の最大輝度が、用紙に対応する反射輝度よりも小さい場合は、第１静止画データＤ１から第２静止画データＤ２への変換を行わず、第３静止画データＤ３をＳＤＲ印刷装置５０に出力する。ＳＤＲ印刷装置５０は、ＳＤＲ画像である第３静止画データＤ３に対応しているため、第３静止画データＤ３による画像を、そのまま印刷することができる。
【０１７０】
（１−６．通信プロトコルの例）
次に、図２３〜図２６を参照しながら、本実施の形態における通信プロトコルの例（第１の例〜第４の例）について説明する。なお、以下の説明において、互いに実質的に同じ構成要素には同じ符号を付与し、重複する説明を省略する。
【０１７１】
図２３は、実施の形態における表示装置４００と印刷装置５００との間の通信プロトコルの第１の例を模式的に示す図である。
【０１７２】
表示装置４００は、例えば、テレビジョンセット、ビデオレコーダ、ビデオプレーヤ、またはデジタルカメラ、等の画像表示機能または画像再生機能を有する装置である。印刷装置５００は、プリンタ等の印刷機能を有する装置である。
【０１７３】
表示装置４００の通信プロトコルは、下位から順に、物理層としてのＵＳＢ物理層４４０、トランスポート層としてのＰＴＰ  Ｔｒａｎｓｐｏｒｔ層４３０、変換層としてのＤＰＳ  Ｌａｙｅｒ４２０、および、アプリ層としてのＤＰＳ  ａｐｐｌｉｃａｔｉｏｎ層４１０を備えて構成される。印刷装置５００の通信プロトコルは、下位から順に、物理層としてのＵＳＢ物理層５４０、トランスポート層としてのＰＴＰ  Ｔｒａｎｓｐｏｒｔ層５３０、変換層としてのＤＰＳ  Ｌａｙｅｒ５２０、および、アプリ層としてのＤＰＳ  ａｐｐｌｉｃａｔｉｏｎ層５１０を備えて構成される。なお、図２３では、物理層としてＵＳＢ物理層４４０、５４０が利用され、表示装置４００と印刷装置５００との間がＵＳＢ接続される構成例を示しているが、表示装置４００と印刷装置５００との間は、無線通信（例えば、Ｗｉ−Ｆｉ）で接続されてもよい。
【０１７４】
図２３では、トランスポート層で、ＩＳＯ１５７４０として規定されているＰｉｃｔｕｒｅ  Ｔｒａｎｓｆｅｒ  Ｐｒｏｔｏｃｏｌ（ＰＴＰ）が利用される構成例を示している。変換層は、アプリ層に対するＩ／Ｆ（ＩｎｔｅｒＦａｃｅ）を規定し、アプリ層からの入出力をＰＴＰプロトコルに変換する。ＤＰＳ層には、表示装置４００と印刷装置５００との間で相互に対応する機能を有するかどうかのネゴシエーションを行う、ＤＰＳ  Ｄｉｓｃｏｖｅｒｙが存在する。ＤＰＳ  Ｌａｙｅｒ４２０にはＤＰＳ  Ｄｉｓｃｏｖｅｒｙ４２１が存在し、ＤＰＳ  Ｌａｙｅｒ５２０にはＤＰＳ  Ｄｉｓｃｏｖｅｒｙ５２１が存在する。
【０１７５】
表示装置４００と印刷装置５００との間がＵＳＢ接続される場合には、表示装置４００および印刷装置５００へのＵＳＢケーブルの接続を契機としてＰＴＰでの相互接続が確立してから、表示装置４００および印刷装置５００は、相互に、ＤＰＳ  Ｄｉｓｃｏｖｅｒｙ４２１、５２１によって接続相手を確認する。このあと、印刷対象となる静止画を保持する表示装置４００は、Ｓｔｏｒａｇｅ  Ｓｅｒｖｅｒ４１２として、Ｓｔｏｒａｇｅ  Ｃｌｉｅｎｔ５１１となる印刷装置５００に対してファイルを提供する。印刷装置５００は、Ｐｒｉｎｔ  Ｓｅｒｖｅｒ５１２として、Ｐｒｉｎｔ  Ｃｌｉｅｎｔ４１１となる表示装置４００からの要求を受け付ける。表示装置４００のＰｒｉｎｔ  Ｃｌｉｅｎｔ４１１は、Ｐｒｉｎｔ  Ｓｅｒｖｅｒ５１２に対して、プリンタの能力を問い合わせ、適宜、その問合せの結果を、表示装置４００のＵＩ（Ｕｓｅｒ  Ｉｎｔｅｒｆａｃｅ）上で表示する。
【０１７６】
また、表示装置４００で静止画の一覧表示等がなされ、その表示の中から印刷の対象となる静止画がユーザに選択されることによって、ユーザから印刷の指示が表示装置４００に対してなされた場合は、表示装置４００は、指示された静止画の印刷をＰｒｉｎｔ  Ｓｅｒｖｅｒ５１２に対して要求する。印刷装置５００は、Ｓｔｏｒａｇｅ  Ｃｌｉｅｎｔ５１１として、表示装置４００のＳｔｏｒａｇｅ  Ｓｅｒｖｅｒ４１２に、印刷の指示がなされた静止画に対応するファイルを要求する。表示装置４００は、その要求に応じて、保持する静止画をファイルとして印刷装置５００に通知する。
【０１７７】
図２４は、実施の形態における表示装置４００Ａと印刷装置５００Ａとの間の通信プロトコルの第２の例を模式的に示す図である。
【０１７８】
表示装置４００Ａは、第１の例と同様に、例えば、テレビジョンセット、ビデオレコーダ、ビデオプレーヤ、またはデジタルカメラ、等の画像表示機能または画像再生機能を有する装置である。印刷装置５００Ａは、第１の例と同様に、プリンタ等の印刷機能を有する装置である。
【０１７９】
表示装置４００Ａの通信プロトコルは、下位から順に、ＴＣＰ／ＩＰ層４４０Ａ、ＵＰｎＰ層４３０Ａ、Ｃｏｎｔｒｏｌ  Ｍｉｄｄｌｅ層４２０Ａ、および、アプリ層４１０Ａを備えて構成される。印刷装置５００Ａの通信プロトコルは、下位から順に、ＴＣＰ／ＩＰ層５４０Ａ、ＵＰｎＰ層５３０Ａ、Ｃｏｎｔｒｏｌ  Ｍｉｄｄｌｅ層５２０Ａ、および、アプリ層５１０Ａを備えて構成される。
【０１８０】
表示装置４００Ａおよび印刷装置５００Ａの通信プロトコルは、物理層（図示せず）としてＷｉ−Ｆｉを利用し、その上のトランスポート層としてＴＣＰ／ＩＰ層４４０Ａ、５４０Ａを採用している。そして、表示装置４００Ａおよび印刷装置５００Ａは、ＴＣＰ／ＩＰ層４４０Ａ、５４０の上で、相互に接続相手を発見するためのプロトコルとしてＵＰｎＰを利用している。表示装置４００Ａおよび印刷装置５００ＡがＵＰｎＰ層４３０Ａ、５３０Ａの機能によって相互に接続相手を認識した後で、印刷ジョブの制御等を行うＣｏｎｔｒｏｌ  Ｍｉｄｄｌｅ層４２０Ａ、５２０Ａの助けを得て、実際の印刷データが、表示装置４００Ａと印刷装置５００Ａとの間でやり取りされる。なお、プリンタは、機種毎に独自の印刷命令を有しており、ＰＣ（Ｐｅｒｓｏｎａｌ  Ｃｏｍｐｕｔｅｒ）では、プリント毎の印刷命令の差異をドライバで吸収することができる。テレビジョンセットまたはビデオレコーダ等の表示装置４００Ａでは、そのようなＰＣとは異なり、ドライバをインストールするという仕組みを取ることが難しい。したがって、表示装置４００Ａは、汎用的な印刷用記述言語を用いてもよい。
【０１８１】
このような言語の例として、Ｗ３Ｃで規定されたＸＨＴＭＬ−ｐｒｉｎｔがある。ＸＨＴＭＬ−ｐｒｉｎｔを用いた印刷では、表示装置４００Ａは、ＸＨＴＭＬ−ｐｒｉｎｔコンテンツ４１１Ａに基づいて印刷の指示を作成し、作成した印刷指示を印刷装置５００Ａに送付する。印刷装置５００Ａでは、ＸＨＴＭＬ−ｐｒｉｎｔで記述されたその印刷指示に基づき、ＸＨＴＭＬ描画処理部５１１Ａにおいて画像ファイルまたはテキスト文字列等のレイアウト、ラスタライズ処理を行い、実際に印刷を行うデータを生成する。印刷処理部５１２Ａは、こうして得られたデータを印刷する。
【０１８２】
図２５は、実施の形態における表示装置４００Ｂと印刷装置５００Ｂとの間の通信プロトコルの第３の例を示す図である。
【０１８３】
表示装置４００Ｂは、第１の例および第２の例と同様に、例えば、テレビジョンセット、ビデオレコーダ、ビデオプレーヤ、またはデジタルカメラ、等の画像表示機能または画像再生機能を有する装置である。また、印刷装置５００Ｂは、第１の例および第２の例と同様に、プリンタ等の印刷機能を有する装置である。なお、印刷装置５００Ｂは、第１静止画データＤ１を印刷する際に、ＨＤＲには対応しておらずＳＤＲにしか対応していない装置である。
【０１８４】
表示装置４００Ｂの通信プロトコルは、下位から順に、Ｗｉ−Ｆｉ層４４０Ｂ、ＰＴＰ  Ｔｒａｎｓｐｏｒｔ層４３０、ＤＰＳ  Ｌａｙｅｒ４２０、および、ＤＰＳ  ａｐｐｌｉｃａｔｉｏｎ層４１０Ｂを備えて構成される。印刷装置５００Ｂの通信プロトコルは、下位から順に、Ｗｉ−Ｆｉ層５４０Ｂ、ＰＴＰ  Ｔｒａｎｓｐｏｒｔ層５３０、ＤＰＳ  Ｌａｙｅｒ５２０、および、ＤＰＳ  ａｐｐｌｉｃａｔｉｏｎ層５１０を備えて構成される。
【０１８５】
第３の例に示す表示装置４００Ｂと印刷装置５００Ｂとの間の通信プロトコルは、第１の例で示したＰＴＰを用いた通信プロトコルをベースとする。表示装置４００ＢのＰｒｉｎｔ  Ｃｌｉｅｎｔ４１１は、印刷装置５００ＢのＰｒｉｎｔ  Ｓｅｒｖｅｒ５１２との通信によって、接続相手である印刷装置５００Ｂの機能を把握する。
【０１８６】
例えば、印刷装置５００Ｂが、８ｂｉｔｓ  ＪＰＧのようなＳＤＲ静止画データしか取り扱えない装置であった場合、表示装置４００Ｂは、表示装置４００Ｂが保持するＨＤＲ静止画データを、そのまま印刷装置５００Ｂに渡すことはできない。そのような場合、表示装置４００Ｂは、表示装置４００Ｂが保持するＨＤＲ静止画データを、印刷装置５００Ｂの機能にあわせてＧｒａｄｉｎｇ  Ｍｏｄｕｌｅ４１３Ｂで調整し、８ｂｉｔｓ  ＪＰＧファイルとする。すなわち、表示装置４００Ｂは、印刷装置５００Ｂの機能にあわせてＨＤＲ静止画データから８ｂｉｔｓ  ＪＰＧファイルを作成する。
【０１８７】
表示装置４００Ｂは、印刷装置５００ＢのＳｔｏｒａｇｅ  Ｃｌｉｅｎｔ５１１からの要求に対する応答として、ＨＤＲ静止画データから得られた８ｂｉｔｓ  ＪＰＧファイルを印刷装置５００Ｂに提供する。つまり、第３の例に示す表示装置４００Ｂは、実施の形態１および変形例１〜５において説明した画像処理装置１００、１００Ａ〜１００Ｃのいずれかを含む構成である。
【０１８８】
なお、上述の例では、表示装置４００Ｂが印刷装置５００Ｂの機能に合わせて８ｂｉｔｓ  ＪＰＧファイルの静止画データを作成する構成を説明したが、本開示はこの構成に限定されない。表示装置４００Ｂは、あらかじめＨＤＲ静止画ファイルに対応する８ｂｉｔｓ  ＪＰＧファイルを作成しておいてもよい。例えば、８ｂｉｔｓ  ＪＰＧファイルしか受け付けられない印刷装置に対応するためには、デジタルカメラは、撮像により得られた画像を、ＨＤＲに対応している第１静止画データＤ１と８ｂｉｔｓ  ＪＰＧファイル（例えば、第３静止画データＤ３）との両方のフォーマットで生成することが望ましい。
【０１８９】
ただし、ｓＲＧＢおよびＢＴ．７０９等の標準的な表示環境が規定されている表示装置４００Ｂとは異なり、印刷装置５００Ｂでは、印刷に使用する用紙およびインクの種類等によって印刷の品質に差が生じる可能性がある。そのため、表示装置４００Ｂは、印刷装置５００Ｂの設定や能力に応じて、ＨＤＲ静止画ファイルから８ｂｉｔｓ  ＪＰＧファイルを作成する際のグレーディングの方法を変更した方がよい場合がある。したがって、表示装置４００Ｂは、印刷装置５００Ｂの設定や能力に応じて、都度、８ｂｉｔｓ  ＪＰＧファイルを作成してもよい。
【０１９０】
なお、印刷装置５００Ｂは、印刷装置２００（２００Ａ、または２００Ｂ）であってもよい。
【０１９１】
図２６は、実施の形態における表示装置４００Ｃと印刷装置５００Ｃとの間の通信プロトコルの第４の例を模式的に示す図である。
【０１９２】
第４の例において、表示装置４００Ｃは、第３の例と同様に、例えば、テレビジョンセット、ビデオレコーダ、ビデオプレーヤ、またはデジタルカメラ、等の画像表示機能または画像再生機能を有する装置である。また、印刷装置５００Ｃは、第３の例と同様に、プリンタ等の印刷機能を有する装置であり、第１静止画データＤ１を印刷する際に、ＨＤＲには対応しておらずＳＤＲにしか対応していない装置である。
【０１９３】
表示装置４００Ｃの通信プロトコルは、下位から順に、Ｗｉ−Ｆｉ層４４０Ｂ、ＰＴＰ  Ｔｒａｎｓｐｏｒｔ層４３０、ＤＰＳ  Ｌａｙｅｒ４２０、および、ＤＰＳ  ａｐｐｌｉｃａｔｉｏｎ層４１０を備えて構成される。印刷装置５００Ｃの通信プロトコルは、下位から順に、Ｗｉ−Ｆｉ層５４０Ｂ、ＰＴＰ  Ｔｒａｎｓｐｏｒｔ層５３０、ＤＰＳ  Ｌａｙｅｒ５２０、および、ＤＰＳ  ａｐｐｌｉｃａｔｉｏｎ層５１０Ｃを備えて構成される。
【０１９４】
第４の例に示す表示装置４００Ｃと印刷装置５００Ｃとの間の通信プロトコルは、第３の例に示した構成と比較して、第３の例において表示装置４００ＢのＧｒａｄｉｎｇ  Ｍｏｄｕｌｅ４１３Ｂが行っていた処理を、印刷装置５００ＣのＧｒａｄｉｎｇ  Ｍｏｄｕｌｅ５１３Ｃが行う点が異なる。つまり、第４の例に示す印刷装置５００Ｃは、実施の形態１および変形例１〜５において説明した画像処理装置１００、１００Ａ〜１００Ｃのいずれかを含む構成である。
【０１９５】
表示装置４００ＣのＳｔｏｒａｇｅ  Ｓｅｒｖｅｒ４１２は、印刷装置５００ＣのＳｔｏｒａｇｅ  Ｃｌｉｅｎｔ５１１からの要求に対する応答として、ＨＤＲ静止画データを、そのまま印刷装置５００Ｃに提供する。印刷装置５００Ｃでは、受信したＨＤＲ静止画データを、印刷装置５００Ｃで使用する用紙およびインクの種類、および印刷品質に関する設定、等に応じて、Ｇｒａｄｉｎｇ  Ｍｏｄｕｌｅ５１３Ｃが適切にグレーディングして印刷する。
【０１９６】
なお、印刷装置５００Ｃは、印刷装置２００（２００Ａ、または２００Ｂ）であってもよい。
【０１９７】
（他の実施の形態）
以上のように、本出願において開示する技術の例示として、実施の形態１および変形例１〜５を説明した。しかしながら、本開示における技術は、これに限定されず、変更、置き換え、付加、省略等を行った実施の形態にも適用できる。また、上記実施の形態１および変形例１〜５で説明した各構成要素を組み合わせて、新たな実施の形態とすることも可能である。
【０１９８】
そこで、以下、他の実施の形態を例示する。
【０１９９】
第１静止画データＤ１で使用されている輝度情報に関しては、絶対的な輝度値が用いられているとしたが、第２静止画データＤ２が生成される際に、絶対的な輝度値に代えて、撮像された写真の明暗部各部のＳＴＯＰ数から算出された輝度が用いられてもよい。つまり、変換部１２０（１２０Ｃ）は、第１静止画データＤ１の絶対輝度を用いずに、相対輝度を用いて、第１静止画データＤ１を第２静止画データＤ２に変換してもよい。
【０２００】
実施の形態では、印刷能力を、用紙単体の反射率等で示される能力として説明した。しかし、印刷能力を、印刷装置の印刷特性を加えた加算特性としてもよい。つまり、印刷能力には、印刷装置のインクの特性、およびインクの吐出の特性、等も考慮されてもよい。そして、第１静止画データＤ１の第１のダイナミックレンジと、用紙の種類、光源の種類および明るさ、およびインクの特性等により表現可能な輝度範囲（ダイナミックレンジ）と、が考慮されて、第１静止画データＤ１が第２静止画データＤ２に変換されてもよい。
【０２０１】
変換部１２０によって信号の変換処理が行われる代わりに、信号の変換処理と同等の効果を得られるように、印刷装置のインク吐出量が制御されてもよい。つまり、第２静止画データＤ２を生成する代わりに、第２静止画データＤ２を印刷した場合と同等の印刷物が印刷装置により出力されるように、印刷装置のインク吐出量が制御されてもよい。
【０２０２】
実施の形態１および変形例１〜５において、各構成要素は、専用のハードウェア（例えば、半導体集積回路を含む電子回路）で構成されてもよく、あるいは、各構成要素に適したソフトウェアプログラムをプロセッサが実行することによって実現されてもよい。各構成要素は、ＣＰＵ（Ｃｅｎｔｒａｌ  Ｐｒｏｃｅｓｓｉｎｇ  Ｕｎｉｔ）またはプロセッサ等のプログラム実行部が、ハードディスクまたは半導体メモリ等の記録媒体に記録されたソフトウェアプログラムを読み出して実行することによって実現されてもよい。
【０２０３】
また、各実施の形態で図面に示したブロック図における機能ブロックの分割は、単なる一例に過ぎない。例えば、複数の機能ブロックが１つの機能ブロックとして実現されたり、あるいは、１つの機能ブロックが複数に分割されたり、または、一部の機能が他の機能ブロックに移されたりしてもよい。また、複数の機能ブロックの機能を、単一のハードウェアまたはソフトウェアが、並列に処理してもよく、または時分割に処理してもよい。また、複数の機能ブロックの一部の機能がハードウェアで実現され、残りの機能がソフトウェアで実現されてもよい。
【０２０４】
また、実施の形態で図面に示したフローチャートにおける各ステップが実行される順序は、単なる一例に過ぎず、実施の形態で説明した順序とは異なる順序で各ステップが実行されてもよい。また、上記ステップの一部が、他のステップと同時に（すなわち、並列に）実行されてもよい。
【０２０５】
ここで、上記各実施の形態の画像処理方法を実現するソフトウェアは、次のようなプログラムである。
【０２０６】
すなわち、このプログラムは、コンピュータに、撮像により得られ輝度範囲が第１のダイナミックレンジで定義された第１静止画データを取得し、印刷装置の印刷能力を示す能力情報を取得し、取得した第１静止画データを、取得した能力情報が示す印刷能力に応じて、第１のダイナミックレンジよりも輝度範囲が狭い第２のダイナミックレンジで定義された第２静止画データに変換し、変換した第２静止画データを印刷装置に出力する画像処理方法を実行させる。
【０２０７】
また、上記画像処理方法と、当該画像処理方法をコンピュータに実行させるコンピュータプログラムおよびそのプログラムを記録したコンピュータ読み取り可能な記録媒体は、本開示の範囲に含まれる。ここで、コンピュータ読み取り可能な記録媒体としては、例えば、フレキシブルディスク、ハードディスク、ＣＤ−ＲＯＭ、ＭＯ、ＤＶＤ、ＤＶＤ−ＲＯＭ、ＤＶＤ−ＲＡＭ、ＢＤ（Ｂｌｕ−ｒａｙ（登録商標）  Ｄｉｓｃ）、半導体メモリ、等を挙げることができる。コンピュータプログラムは、上記記録媒体に記録されたものに限定されず、電気通信回線、無線または有線通信回線、インターネット等のネットワーク、等を経由して伝送されてもよい。
【０２０８】
また、上記の各装置を構成する構成要素の一部または全部は、各装置に脱着可能なＩＣカードまたは単体のモジュールから構成されてもよい。
【０２０９】
また、上記の各装置を構成する構成要素の一部または全部は、１つのＬＳＩ（Ｌａｒｇｅ  Ｓｃａｌｅ  Ｉｎｔｅｇｒａｔｉｏｎ：大規模集積回路）で構成されてもよい。
【０２１０】
また、各処理部は、ＬＳＩまたはＩＣに限定されるものではなく、専用回路または汎用プロセッサで実現されてもよい。あるいは、回路構成をプログラムすることが可能なＦＰＧＡ（Ｆｉｅｌｄ  Ｐｒｏｇｒａｍｍａｂｌｅ  Ｇａｔｅ  Ａｒｒａｙ）、または、ＬＳＩ内部の回路セルの接続や設定を再構成可能なリコンフィギュラブル・プロセッサで実現されてもよい。
【０２１１】
また、上記のプログラムを、記録媒体に記録して頒布または流通させてもよい。例えば、頒布されたプログラムを装置類にインストールして、装置類のプロセッサに実行させることで、装置類に各種処理を行わせることが可能となる。
【０２１２】
また、本開示におけるコンピュータプログラムまたはデジタル信号を、電気通信回線、無線または有線通信回線、インターネット等のネットワーク、データ放送、等を経由して伝送してもよい。
【０２１３】
また、本開示は、プログラムまたはデジタル信号を記録媒体に記録して移送することにより、またはプログラムまたはデジタル信号を、ネットワーク等を経由して移送することにより、独立した他のコンピュータシステムにより実施してもよい。
【０２１４】
また、実施の形態において、各処理（各機能）は、単一の装置（システム）によって集中処理されることによって実現されてもよく、あるいは、複数の装置によって分散処理されることによって実現されてもよい。
【０２１５】
以上のように、本開示における技術の例示として、実施の形態を説明した。そのために、添付図面および詳細な説明を提供した。
【０２１６】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【０２１７】
また、上述の実施の形態は、本開示における技術を例示するためのものであるから、特許請求の範囲またはその均等の範囲において種々の変更、置き換え、付加、省略などを行うことができる。
【産業上の利用可能性】
【０２１８】
本開示は、高品位な印刷物を印刷するための静止画データを得ることができる画像処理装置および画像処理方法に適用可能である。具体的には、テレビジョンセットまたはディスプレイ等の映像表示装置、ビデオレコーダまたはビデオプレーヤ等の映像再生装置、デジタルカメラまたはビデオカメラ等の撮像装置、スマートフォンまたはタブレットコンピュータ等の端末装置、プリンタ等の印刷装置、または、ＰＣまたはサーバ等のコンピュータ装置、等に、本開示は適用可能である。
【符号の説明】
【０２１９】
１，２，３，４，５，６    パターン
１０，１０Ａ    ＨＤＲ撮像装置
１１    ＨＤＲ撮像部
１２    変換部
１３    ＪＰＥＧ圧縮部
１４    ＳＤＲ撮像部
１５    ＨＤＲ画像補正部
１６    ＨＥＶＣ圧縮部
２０    ＳＤＲ撮像装置
２１    ＳＤＲ撮像部
２２    ＪＰＥＧ圧縮部
３０    ＨＤＲ表示装置
４０    ＳＤＲ表示装置
５０    ＳＤＲ印刷装置
１００，１００Ａ，１００Ｂ，１００Ｃ    画像処理装置
１０１    ＣＰＵ
１０２    メインメモリ
１０３    ストレージ
１０４    入力ＩＦ
１０５    通信ＩＦ
１１０，１１０Ａ，１１０Ｂ，１１０Ｃ    取得部
１２０，１２０Ｃ    変換部
１３０    出力部
１５０    テストパターン
２００，２００Ａ，２００Ｂ    印刷装置
２０１    入力ＩＦ
２０２    スキャナ
３００    入力装置
４００，４００Ａ，４００Ｂ，４００Ｃ    表示装置
４１０，４１０Ｂ，５１０，５１０Ｃ    ＤＰＳ  ａｐｐｌｉｃａｔｉｏｎ層
４１０Ａ，５１０Ａ    アプリ層
４１１    Ｐｒｉｎｔ  Ｃｌｉｅｎｔ
４１１Ａ    ＸＨＴＭＬ−ｐｒｉｎｔコンテンツ
４１２    Ｓｔｏｒａｇｅ  Ｓｅｒｖｅｒ
４１３Ｂ，５１３Ｃ    Ｇｒａｄｉｎｇ  Ｍｏｄｕｌｅ
４２０，５２０    ＤＰＳ  Ｌａｙｅｒ
４２０Ａ，５２０Ａ    Ｃｏｎｔｒｏｌ  Ｍｉｄｄｌｅ層
４２１，５２１    ＤＰＳ  Ｄｉｓｃｏｖｅｒｙ
４３０，５３０    ＰＴＰ  Ｔｒａｎｓｐｏｒｔ層
４３０Ａ，５３０Ａ    ＵＰｎＰ層
４３１Ａ，５３１Ａ    ＵＰｎＰ  Ｄｉｓｃｏｖｅｒｙ
４４０，５４０    ＵＳＢ物理層
４４０Ａ，５４０Ａ    ＴＣＰ／ＩＰ層
４４０Ｂ，５４０Ｂ    Ｗｉ−Ｆｉ層
５００，５００Ａ，５００Ｂ，５００Ｃ    印刷装置
５１１    Ｓｔｏｒａｇｅ  Ｃｌｉｅｎｔ
５１２    Ｐｒｉｎｔ  Ｓｅｒｖｅｒ
５１１Ａ    ＸＨＴＭＬ描画処理部
５１２Ａ    印刷処理部
Ｄ１    第１静止画データ
Ｄ２    第２静止画データ
Ｄ３    第３静止画データ
Ｉ１，Ｉ２    能力情報
Ｐ１    用紙
【図１】
0006719061.tif 000002
【図２】
0006719061.tif 000003
【図３Ａ】
0006719061.tif 000004
【図３Ｂ】
0006719061.tif 000005
【図４】
0006719061.tif 000006
【図５】
0006719061.tif 000007
【図６】
0006719061.tif 000008
【図７Ａ】
0006719061.tif 000009
【図７Ｂ】
0006719061.tif 000010
【図８Ａ】
0006719061.tif 000011
【図８Ｂ】
0006719061.tif 000012
【図９】
0006719061.tif 000013
【図１０】
0006719061.tif 000014
【図１１】
0006719061.tif 000015
【図１２】
0006719061.tif 000016
【図１３】
0006719061.tif 000017
【図１４】
0006719061.tif 000018
【図１５】
0006719061.tif 000019
【図１６】
0006719061.tif 000020
【図１７】
0006719061.tif 000021
【図１８】
0006719061.tif 000022
【図１９】
0006719061.tif 000023
【図２０】
0006719061.tif 000024
【図２１】
0006719061.tif 000025
【図２２】
0006719061.tif 000026
【図２３】
0006719061.tif 000027
【図２４】
0006719061.tif 000028
【図２５】
0006719061.tif 000029
【図２６】
0006719061.tif 000030